(57)【特許請求の範囲】
【請求項１】
パチンコ遊技機の遊技盤に設けられる可動演出装置において、
開閉型可動装飾体と、電飾手段と、駆動手段とを備えて、
前記開閉型可動装飾体は、共通基部を基準として内面を前記遊技盤の前方に向けるように開くとともに前記内面を前記遊技盤の後方に向けるように閉じる少なくとも２つの装飾板を具備して、
前記電飾手段は、
前記共通基部に固定される共通基板部と、この共通基板部から互いに独立的に延出されて前記少なくとも２つの装飾板の各々に装着される各帯状独立基板部とを一体的に有する単一のフレキシブルプリント基板と、
前記各帯状独立基板部に電飾作動可能に搭載してなる各電飾作動素子とを具備しており、
前記駆動手段は、前記少なくとも２つの装飾板を共に開閉するように駆動することを特徴とするパチンコ遊技機のための可動演出装置。
【請求項２】
パチンコ遊技機の遊技盤に設けられる可動演出装置において、
開閉型可動装飾体と、電飾手段と、駆動手段とを備えて、
前記開閉型可動装飾体は、底板と、この底板の一面側にてその板厚方向に開閉するように当該底板の外周部に沿い順次隣り合うように開閉基端部にて支持される複数の装飾板の各々をそれぞれ有する複数の装飾部材とを具備しており、
前記電飾手段は、
前記底板に前記一面側から装着してなる共通基板部と、この共通基板部の外周部から互いに独立的に延出されて前記複数の装飾板の各々に前記一面側からそれぞれ装着してなる複数の帯状独立基板部とを一体的に有する単一のフレキシブルプリント基板と、
前記複数の帯状独立基板部の各々にそれぞれ電飾作動可能に搭載してなる少なくとも１つの電飾作動素子とを有しており、
前記駆動手段は、前記複数の装飾板を共にその各開閉基端部を基準に開閉駆動するように前記底板の他面側にて前記複数の装飾部材の各々と作動的に連携することを特徴とするパチンコ遊技機のための可動演出装置。
【請求項３】
前記複数の装飾部材は、４つの装飾部材であって、
当該４つの装飾部材の各々は、それぞれ、各対応の前記装飾板の前記開閉基端部から延出するリンク部材を具備しており、
前記駆動手段は、
電動機と、
前記複数の装飾部材の各々にそれぞれ対応して位置する第１〜第４の歯車部材とを具備して、
前記第１歯車部材は、前記電動機により駆動される歯車部と、この歯車部の外周部から突出されて対応の前記装飾部材の前記リンク部材に作動的に連携する突起とを有し、
前記第２および第３の歯車部材は、それぞれ、前記第１歯車部材の前記歯車部に噛合する各歯車部と、当該各歯車部の外周部から突出されて対応の前記各装飾部材の前記リンク部材に作動的に連携する各突起とを有し、
前記第４歯車部材は、前記第２および第３の歯車部材の各歯車部に噛合する歯車部と、当該歯車部の外周部から突出されて対応の前記装飾部材の前記リンク部材に作動的に連携する突起とを有して、
前記第１〜第４の歯車部材の前記各歯車部の回転に伴う対応の前記各突起と対応の前記各リンク部材との作動的連携に応じて前記各装飾板を共にその各開閉基端部を基準に開閉駆動するようにした請求項２に記載のパチンコ遊技機のための可動演出装置。
【請求項４】
前記各リンク部材は、それぞれ、各対応の前記装飾板の前記開閉基端部からそれぞれ延出する各帯状リンクであり、
前記駆動手段は、
前記各帯状リンクと対応の前記各突起との間に相対変位自在にそれぞれ連結してなる各連結部材を具備して、
前記第１〜第４の歯車部材の前記各歯車部の回転に伴いその各回転方向に対応の前記各連結部材により対応の前記各帯状リンクを引っ張ることで、前記各装飾板を共にその各開閉基端部を基準に開閉駆動するようにした請求項３に記載のパチンコ遊技機のための可動演出装置。
【請求項５】
前記各リンク部材は、それぞれ、各対応の前記装飾板の前記開閉基端部からそれぞれ延出する各板状リンクであり、
前記駆動手段は、前記第１〜第４の歯車部材の前記各突起をそれぞれ一側突起とし、前記第１〜第４の歯車部材の前記各歯車部の外周部からそれぞれ対応の前記各一側突起とは１８０度位相を異にして突出する各突起を各他側突起として具備して、
前記第１〜第４の歯車部材の前記各歯車部の回転に伴いその前記一側および他側の突起によりそれぞれ対応の前記各板状リンクを交互に押動することで、前記各装飾板を共にその各開閉基端部を基準に開閉駆動するようにした請求項３に記載のパチンコ遊技機のための可動演出装置。
【請求項６】
前記電飾手段は、前記フレキシブルプリント基板の各帯状独立基板部に搭載した前記各電飾作動素子に加え、前記フレキシブルプリント基板の前記共通基板部に搭載した他の電飾作動素子を具備することを特徴とする請求項１〜５のいずれか１つに記載のパチンコ遊技機のための可動演出装置。
【請求項７】
前記電飾手段は、前記少なくとも２つの装飾板の各外面にそれぞれ搭載した他の各電飾作動素子をも具備することを特徴とする請求項６に記載のパチンコ遊技機のための可動演出装置。
【発明の詳細な説明】
【技術分野】
【０００１】
本発明は、パチンコ遊技機に係り、特に、遊技者の遊技に伴い遊技盤の盤面に沿い動作することで演出するようにしたパチンコ遊技機のため可動演出装置に関する。
【背景技術】
【０００２】
従来、パチンコ遊技機においては、下記特許文献１に記載の可動盤面部品を有する遊技機が提案されている。この遊技機の可動盤面部品は、ギミックからなるもので、当該ギミックは、ギミック本体と、このギミック本体を駆動する駆動機構とにより構成されている。
【０００３】
しかして、当該可動盤面部品は、遊技機の中央開口部の下部に位置して、ギミック本体にて、駆動機構による駆動のもと、当該駆動機構を基準にて、左右方向に回動する。
【先行技術文献】
【特許文献】
【０００４】
【特許文献１】特開２００９−１９５３３９号公報
【発明の概要】
【発明が解決しようとする課題】
【０００５】
ところで、上記構成の可動盤面部品においては、上述したごとく、ギミック本体が、駆動機構による駆動のもと、当該駆動機構を基準に、左右方向に回動するにすぎない。これでは、当該可動盤面部品の演出効果としては、面白みに欠けるという不具合が生ずる。
【０００６】
また、上記構成の可動盤面部品において、ギミック本体は、表面部材、プリント基板、アーム部及びハーネスを備えている。そして、プリント基板は、表面部材にその裏面側から設けられており、このプリント基板には、表面部材にその裏面側から対向するように複数の発光ダイオードが搭載されている。ハーネスは、複数の発光ダイオードを電源に接続するように、アーム部に沿い配線されている。
【０００７】
従って、複数の発光ダイオードをハーネスにより電源に接続するにあたり、ハーネスを、コネクタを介し、電源に接続するという面倒な作業が必要となり、複数の発光ダイオードの電源への接続に手間がかかるという不具合がある。
【０００８】
そこで、本発明は、以上のようなことに対処するため、可動装飾体の構成に工夫を凝らし、演出効果をより一層高めるようにし、かつ、単一のフレキシブルプリント基板を採用して、このフレキシブルプリント基板を複数の電飾作動素子と共に変位可能な構成とすることで、従来必須とされてきた基板点数、各電飾作動素子の電飾作動のための配線等の部品点数や組み立て作業工数を軽減させるようにしたパチンコ遊技機のための可動演出装置を提供することを目的とする。
【課題を解決するための手段】
【０００９】
上記課題の解決にあたり、本発明は、請求項１の記載によれば、パチンコ遊技機の遊技盤（Ｂａ）に設けられる可動演出装置において、
開閉型可動装飾体（２００ａ）と、電飾手段（２１０）と、駆動手段（２００ｃ）とを備えて、
開閉型可動装飾体は、共通基部（２２１ａ、２２２、２２４）を基準として内面を遊技盤の前方に向けるように開くとともに上記内面を遊技盤の後方に向けるように閉じる少なくとも２つの装飾板（２２１）を具備して、
電飾手段は、
上記共通基部に固定される共通基板部（Ｆ１）と、この共通基板部から互いに独立的に延出されて上記少なくとも２つの装飾板の各々に装着される各帯状独立基板部（Ｆ２）とを一体的に有する単一のフレキシブルプリント基板（２１０ａ）と、
上記各帯状独立基板部に電飾作動可能に搭載してなる各電飾作動素子（２１０ｂ）とを具備しており、
駆動手段は、上記少なくとも２つの装飾板を共に開閉するように駆動することを特徴とする。
【００１０】
これによれば、開閉型可動装飾体が、共通基部を基準として少なくとも２つの装飾板を共に内面を遊技盤の前方に向けるように開くとともに上記内面を遊技盤の後方に向けるように閉じるから、可動演出装置を、例えば、遊技盤の環状のセンター構造物の上部中央に設ければ、遊技者にとって、あたかも少なくとも２枚の花びらが開閉するように見える。
【００１１】
しかも、これに伴い、各帯状独立基板部に搭載した各電飾作動素子が電飾作動すれば、各電飾作動素子の電飾作用が、各装飾板の開閉に応じて、遊技者に見えたり見えなくなったりする。その結果、遊技者にとって、少なくとも２枚の花びらがその電飾作用程度を変化させながら開閉するように見えるような演出が、可動演出装置によりなされる。これに伴い、この種のパチンコ遊技機において、従来とは違った面白みのある演出効果が可動演出装置により達成され得る。
【００１２】
ここで、上述のように、共通基板部と、この共通基板部とは一体的に形成されるとともに当該共通基板部から互いに独立的に延出されてそれぞれ電飾作動素子を電飾作動可能に搭載してなる各帯状独立基板部とが、単一のフレキシブルプリント基板でもって構成される。
【００１３】
このため、可動演出装置において従来必須とされてきた複数の基板が、単一のフレキシブル基板で済むこととなり、その結果、可動演出装置における構成部品の点数、各電飾作動素子の電飾作動のための配線等の接続部品の点数や可動演出装置の組み立て作業工数を低減することができる。
【００１４】
また、本発明は、請求項２の記載によれば、パチンコ遊技機の遊技盤（Ｂａ）に設けられる可動演出装置において、
開閉型可動装飾体（２００ａ）と、電飾手段（２１０）と、駆動手段（２００ｃ）とを備えて、
開閉型可動装飾体は、底板（２３０）と、この底板の一面側にてその板厚方向に開閉するように当該底板の外周部に沿い順次隣り合うように開閉基端部（２２１ａ、２２２、２２４）にて支持される複数の装飾板（２２１）の各々をそれぞれ有する複数の装飾部材（２２０、２２０ａ）とを具備しており、
電飾手段は、
底板に上記一面側から装着してなる共通基板部（Ｆ１）と、この共通基板部の外周部から互いに独立的に延出されて複数の装飾板の各々に上記一面側からそれぞれ装着してなる複数の帯状独立基板部（Ｆ２）とを一体的に有する単一のフレキシブルプリント基板（２１０ａ）と、
上記複数の帯状独立基板部の各々にそれぞれ電飾作動可能に搭載してなる少なくとも１つの電飾作動素子（２１０ｂ）とを有しており、
駆動手段は、複数の装飾板を共にその各開閉基端部を基準に開閉駆動するように底板の他面側にて複数の装飾部材の各々と作動的に連携することを特徴とする。
【００１５】
これによれば、開閉型可動装飾体が、複数の装飾板を共にその各開閉基端部を基準に開閉するから、可動演出装置を遊技盤、例えば、環状のセンター構造物の上部中央に設ければ、遊技者にとって、あたかも複数の花びらが開閉するように見える。しかも、これに伴い、各帯状独立基板部に搭載した各少なくとも１つの電飾作動素子が電飾作動すれば、各電飾作動素子の電飾作用が、各装飾板の開閉に応じて、遊技者に見えたり見えなくなったりする。その結果、遊技者にとって、複数の花びらがその電飾作用程度を変化させながら開閉するように見えるような演出が、可動演出装置によりなされる。これに伴い、この種のパチンコ遊技機において、従来とは違った面白みのある演出効果が可動演出装置により達成され得る。
【００１６】
ここで、上述のように、底板にその一面側から装着される共通基板部と、この共通基板部とは一体的に形成されるとともに当該共通基板部から互いに独立的に延出されてそれぞれ複少なくとも１つの電飾作動素子を電飾作動可能に搭載してなる複数の帯状独立基板部とが、単一のフレキシブルプリント基板でもって構成される。
【００１７】
このため、可動演出装置において従来必須とされてきた複数の基板が、単一のフレキシブル基板で済むこととなり、その結果、可動演出装置における構成部品の点数、各電飾作動素子の電飾作動のための配線等の接続部品の点数や可動演出装置の組み立て作業工数を低減することができる。
【００１８】
以上によれば、可動装飾体の構成に上述のように工夫を凝らすことで、演出効果をより一層高めることができ、かつ、単一のフレキシブルプリント基板を複数の電飾作動素子と共に変位可能とするように構成することで、従来必須とされてきた基板点数、各電飾作動素子の電飾作動のための配線等の部品点数や組み立て作業工数を軽減させることができる。
【００１９】
また、本発明は、請求項３の記載によれば、請求項２に記載のパチンコ遊技機のための可動演出装置において、
複数の装飾部材は、４つの装飾部材であって、
当該４つの装飾部材の各々は、それぞれ、各対応の装飾板の上記開閉基端部から延出するリンク部材（２２３、２２５）を具備しており、
駆動手段は、
電動機（２６０）と、
複数の装飾部材の各々にそれぞれ対応して位置する第１〜第４の歯車部材（２４０、２４０ａ）とを具備して、
第１歯車部材は、電動機により駆動される歯車部（２４１ａ）と、この歯車部の外周部から突出されて対応の装飾部材の前記リンク部材に作動的に連携する突起（２４２）とを有し、
第２および第３の歯車部材は、それぞれ、第１歯車部材の上記歯車部に噛合する各歯車部（２４１ａ）と、当該各歯車部の外周部から突出されて対応の各装飾部材のリンク部材に作動的に連携する各突起（２４２）とを有し、
第４歯車部材は、第２および第３の歯車部材の各歯車部に噛合する歯車部（２４１ａ）と、当該歯車部の外周部から突出されて対応の装飾部材のリンク部材に作動的に連携する突起（２４２）とを有して、
第１〜第４の歯車部材の上記各歯車部の回転に伴う対応の各突起と対応の各リンク部材との作動的連携に応じて各装飾板を共にその各開閉基端部を基準に開閉駆動するようにしたことを特徴とする。
【００２０】
これによれば、第１歯車部材が、歯車部にて電動機により駆動されて回転すると、第２および第３の歯車部材が、その各歯車部にて、第１歯車部材の歯車部との噛合のもとに当該歯車部の回転に伴い回転し、かつ、第４歯車部材が、その歯車部にて、第２および第３の歯車部の各歯車部との噛合のもとに、当該各歯車部の回転に伴い回転する。
【００２１】
すると、第１〜第４の歯車部材の各突起が、第１〜第４の歯車部材の各歯車部の回転に伴い回転して、対応の各リンク部材との作動的連携に応じて各装飾板を共にその各開閉基端部を基準に開閉駆動する。
【００２２】
その結果、遊技者にとって、複数の花びらがその電飾作用程度を変化させながら開閉するように見えるような演出が、可動演出装置によりなされる。これに伴い、この種のパチンコ遊技機において、従来とは違った面白みのある演出効果が可動演出装置により達成され得る。その他の作用効果は、請求項２に記載の発明と同様である。
【００２３】
また、本発明は、請求項４の記載によれば、請求項３に記載のパチンコ遊技機のための可動演出装置において、
各リンク部材は、それぞれ、各対応の装飾板の上記開閉基端部からそれぞれ延出する各帯状リンク（２２３）であり、
駆動手段は、
各帯状リンクと対応の各突起との間に相対変位自在にそれぞれ連結してなる各連結部材（２５０）を具備して、
第１〜第４の歯車部材の上記各歯車部の回転に伴いその各回転方向に対応の各連結部材により対応の各帯状リンクを引っ張ることで、各装飾板を共にその各開閉基端部を基準に開閉駆動するようにしたことを特徴とする。
【００２４】
このように、各リンク部材である各帯状リンクは、対応の各連結部材を介し、対応の各突起との間に相対変位自在にそれぞれ連結されている。このため、第１〜第４の歯車部材が各歯車部にて回転すると、この回転に伴いその各回転方向に対応の各連結部材により対応の各帯状リンクが引っ張られる。これにより、各装飾板が共にその各開閉基端部を基準に開閉駆動される。その結果、請求項３に記載の発明の作用効果がより一層具体的に達成され得る。
【００２５】
また、本発明は、請求項５の記載によれば、請求項３に記載のパチンコ遊技機のための可動演出装置において、
各リンク部材は、それぞれ、各対応の装飾板の上記開閉基端部からそれぞれ延出する各板状リンク（２２５）であり、
駆動手段は、第１〜第４の歯車部材の各突起をそれぞれ一側突起とし、第１〜第４の歯車部材の上記各歯車部の外周部からそれぞれ対応の各一側突起とは１８０度位相を異にして突出する各突起を各他側突起（２４５）として具備して、
第１〜第４の歯車部材の前記各歯車部の回転に伴いその前記一側および他側の突起によりそれぞれ対応の前記各板状リンクを交互に押動することで、前記各装飾板を共にその各開閉基端部を基準に開閉駆動するようにしたことを特徴とする。
【００２６】
このように、各リンク部材である各板状リンクは、第１〜第４の歯車部材の各歯車部の回転に伴いその一側および他側の突起によりそれぞれを交互に押動される。これにより、各装飾板が共にその各開閉基端部を基準に開閉駆動される。その結果、請求項２に記載の発明の作用効果がより一層具体的に達成され得る。
【００２７】
また、本発明は、請求項６の記載によれば、請求項１〜５のいずれか１つに記載のパチンコ遊技機のための可動演出装置において、
電飾手段は、フレキシブルプリント基板の各帯状独立基板部に搭載した各電飾作動素子に加え、フレキシブルプリント基板の上記共通基板部に搭載した他の電飾作動素子を具備することを特徴とする。
【００２８】
これによれば、各装飾体が開いたときには、フレキシブルプリント基板の各帯状独立基板部及び共通基板部に搭載した全ての電飾作動素子が前方から視認され、各装飾体が開いたときには、当該全ての電飾作動素子は、前方から視認されない。
【００２９】
このため、電飾盤による各電飾作動素子の電飾作動に伴う電飾効果が、請求項１〜５のいずれか１つに記載の発明の作用効果を達成しつつ、より一層効果的に発揮され得る。
【００３０】
また、本発明は、請求項７の記載によれば、請求項６に記載のパチンコ遊技機のための可動演出装置において、
電飾手段は、上記少なくとも２つの装飾板の各外面にそれぞれ搭載した他の各電飾作動素子をも具備することを特徴とする。
【００３１】
これによれば、各装飾板が閉じていても、当該各装飾板の外面に搭載した各電飾作動素子が前方から視認され得る。その結果、請求項６に記載の発明の作用効果が、より一層向上され得る。
【００３２】
なお、上記各手段の括弧内の符号は、後述する実施形態に記載の具体的手段との対応関係を示す。
【図面の簡単な説明】
【００３３】
【図１】本発明に係るパチンコ遊技機の第１実施形態を示す前面図である。
【図２】図１のパチンコ遊技機の遊技盤を示す前面図である。
【図３】（ａ）〜（ｃ）は、それぞれ、上記第１実施形態の各装飾板の閉状態における可動演出装置の斜視図、前面図および側面図である。
【図４】（ａ）〜（ｃ）は、それぞれ、上記第１実施形態の各装飾板の開状態における可動演出装置の斜視図、前面図および側面図である。
【図５】上記第１実施形態における可動演出装置の拡大分解斜視図である。
【図６】（ａ）および（ｂ）は、それぞれ、図３の各装飾板の閉状態における可動演出装置の部分破断斜視図および部分破断前面図である。
【図７】（ａ）および（ｂ）は、それぞれ、図４の各装飾板の開状態における可動演出装置の部分破断斜視図および部分破断前面図である。
【図８】図５のフレキシブルプリント基板の部分破断平面図である。
【図９】図５の可動装飾部材、連結部材、連結ピンおよび底板等の分解斜視図である。
【図１０】上記第１実施形態における可動装飾部材、連結部材、歯車部材との間の関係を装飾板の閉状態にて示す斜視図である。
【図１１】上記第１実施形態における可動装飾部材、連結部材、歯車部材との間の関係を装飾板の中間開状態にて示す斜視図である。
【図１２】上記第１実施形態における可動装飾部材、連結部材、歯車部材との間の関係を装飾板の開状態にて示す斜視図である。
【図１３】（ａ）〜（ｃ）は、それぞれ、本発明の第２実施形態の各装飾板の閉状態における可動演出装置の斜視図、前面図および側面図である。
【図１４】（ａ）〜（ｃ）は、それぞれ、上記第２実施形態の各装飾板の開状態における可動演出装置の斜視図、前面図および側面図である。
【図１５】上記第２実施形態における可動演出装置の拡大分解斜視図である。
【図１６】（ａ）〜（ｃ）は、それぞれ、上記第２実施形態の各装飾板の閉状態における可動演出装置の部分破断斜視図、前面図および部分破断側面図である。
【図１７】（ａ）〜（ｃ）は、それぞれ、上記第２実施形態の各装飾板の開状態における可動演出装置の部分破断斜視図、前面図および部分破断側面図である。
【図１８】図１５の可動装飾部材、連結部材、コイルスプリング、連結ピンおよび底板等の分解斜視図である。
【発明を実施するための形態】
【００３４】
以下、本発明の各実施形態について図面を参照して説明する。
（第１実施形態）
図１は、本発明が適用されるパチンコ遊技機の第１実施形態を示している。当該パチンコ遊技機は、パチンコホール内の島に立設されるもので、このパチンコ遊技機は、機枠（図示しない）と、この機枠に対し前後方向に開閉可能に支持される遊技機本体Ｂ及び前扉ＦＤとにより構成されている。なお、上記パチンコ遊技機は、いわゆるデジパチ型のパチンコ遊技機である。
【００３５】
遊技機本体Ｂは、図２にて示すごとく、遊技盤Ｂａを備えており、この遊技盤Ｂａは、遊技機本体Ｂの枠体（図示しない）に嵌装されている。なお、遊技機本体Ｂは、上記枠体にて、上記機枠に対し前後方向に開閉可能に支持されている。
【００３６】
当該遊技盤Ｂａは、遊技板１０と、ガイドレール２０、環状センター構造物３０及び遊技釘群４０とを備えている。ガイドレール２０は、遊技板１０の前面１１（以下、遊技盤Ｂａの盤面１１ともいう）に沿い配設されており、このガイドレール２０は、その内周側において、遊技板１０の前面１１上に遊技領域１２を形成する。
【００３７】
しかして、ガイドレール２０は、ハンドルＨ（図１参照）の回動操作により、球発射装置（図示しない）から発射される遊技球を案内して、遊技領域１２内に転動させる。なお、上記球発射装置は、遊技機本体Ｂの上記枠体の右下部に配設されている。また、ハンドルＨは、上記球発射装置の一構成部品として遊技機本体Ｂの上記枠体の右下部にその前面から設けられている。
【００３８】
センター構造物３０は、図２にて示すごとく、遊技板１０の中央開口部１３（遊技盤Ｂａの中央開口部１３ともいう）の外周部に前面１１側から組み付けられている。遊技釘群４０は、多数の遊技釘４１からなるもので、これらの各遊技釘４１は、ガイドレール２０の内側において、センター構造物３０の左側から下側にかけて、遊技板１０にその前面１１側から分散して打ち込まれている。しかして、遊技釘群４０によれば、ガイドレール２０から遊技領域１２内に案内される遊技球が、遊技板１０の前面１１に沿い、各遊技釘４１との衝突を経て、下方へ転動する。
【００３９】
また、当該遊技盤Ｂａは、スタートチャッカー５０、電動チューリップ６０、スルーゲート７０、風車８０、複数の普通入賞口９０及びアタッカー１００を備えており、これらスタートチャッカー５０、電動チューリップ６０、スルーゲート７０、風車８０、各普通入賞口９０及びアタッカー１００は、図２にて示す各位置にて、遊技板１０の前面１１に遊技領域１２内にて組み付けられている。
【００４０】
スタートチャッカー５０は、センター構造物３０の下縁中央部の直下に位置しており、このスタートチャッカー５０は、その始動入賞口への遊技球の入賞に基づき、大当たり抽選（大当たりか否かの抽選）の機会を提供するとともに、所定数の賞球を払い出す契機を提供する。
【００４１】
電動チューリップ６０は、普通電動役物としての役割を果たすべく、スタートチャッカー５０の直下に位置しており、この電動チューリップ６０は、その始動入賞口への遊技球の入賞を、両羽根部材の閉鎖状態にて、規制する。また、当該電動チューリップ６０は、その始動入賞口への遊技球の入賞を、上記両羽根部材の開放状態にて容易にして、当該入賞に基づき所定数の賞球の払い出しの契機を与えるとともに、スタートチャッカー５０と同様に大当たり抽選の機会を提供する。
【００４２】
スルーゲート７０は、図２にて示すごとく、センター構造物３０の左縁中央部の左側に位置しており、このスルーゲート７０は、その直上から遊技板１０の前面１１に沿い下方へ転動する遊技球に対し通過する機会を与える。これにより、当該スルーゲート７０は、その遊技球の通過に基づき、普通図柄の抽選の契機を提供する。
【００４３】
風車８０は、スルーゲート７０の下方に位置しており、この風車８０は、遊技板１０の前面１１に沿いスルーゲート７０或いはその周囲から下方へ転動する遊技球により衝突されたとき、回転しつつ当該遊技球を下方へ転動させる。複数の普通入賞口９０は、それぞれ、その遊技球の入賞に伴い、所定数の賞球を払い出す契機を与える。
【００４４】
アタッカー１００は、図２にて示すごとく、電動チューリップ６０の直下に位置しており、このアタッカー１００は、その大入賞口の開放により、当該大入賞口への遊技球の入賞の機会を与える。
【００４５】
また、当該遊技盤Ｂａは、図２にて示すごとく、演出画像表示装置１１０及び可動演出装置２００を備えている。演出画像表示装置１１０は、表示パネル１１１を具備しており、この表示パネル１１１は、遊技板１０にその裏面側から中央開口部１３を臨むように設けられている。
【００４６】
可動演出装置２００は、図２にて示すごとく、センター構造物３０の左右方向中央上部に盤面１１側から設けられている。この可動演出装置２００は、図３〜図７のいずれかにて示すごとく、花型可動装飾体２００ａと、支持体２００ｂと、駆動機構２００ｃとによって構成されている。
【００４７】
花型可動装飾体２００ａは、支持体２００ｂにより支持されているもので、この花型可動装飾体２００ａは、図３〜図５にて示すごとく、電飾盤２１０と、上側、下側、左側及び右側の装飾部材２２０と、矩形状の底板２３０とにより構成されている。なお、本第１実施形態において、上側、下側、左側及び右側の装飾部材２２０は、それぞれ、図３（ｂ）及び図４（ｂ）において、図示上側、図示下側、図示左側及び図示右側に位置する装飾部材２２０をいう。
【００４８】
ここで、支持体２００ｂは、図３或いは図４にて示すごとく、矩形状支持板２０１と、４本の支柱２０２とを備えており、支持板２０１は、その裏面にて盤面１１に沿うように、センター構造物３０の左右方向中央上部にその前面側から組み付けられている。４本の支柱２０２は、その各基端部にて、支持板２０１の各隅角部に固着されており、４本の支柱２０２は、それぞれ、その各基端部から互いに平行となるように前方に延出されている。
【００４９】
電飾盤２１０は、図４にて示すごとく、上下左右の各側の装飾部材２２０及び矩形状の底板２３０に組み付けられており、当該電飾盤２１０は、図５にて示すごとく、柔軟性配線板である単一のフレキシブルプリント基板２１０ａと、８個の発光ダイオード２１０ｂとにより構成されている。なお、以下、発光ダイオードは、ＬＥＤともいう。
【００５０】
フレキシブルプリント基板２１０ａは、図８にて示すごとく、柔軟性電気絶縁層２１１、上側、下側、左側及び右側の４つの柔軟性給電配線２１２、並びに上下両側の２つの柔軟性接地配線２１３を内包するように構成されている。なお、本第１実施形態において、上下左右の各側の柔軟性給電配線２１２は、それぞれ、図８にて示すごとく、図示上側、図示下側、図示左側及び図示右側に位置する柔軟性給電配線をいう。また、上下両側の柔軟性接地配線２１３は、それぞれ、図８にて示すごとく、図示上側及び図示下側に位置する柔軟性接地配線をいう。
【００５１】
柔軟性電気絶縁層２１１は、矩形状共通層部２１１ａ及び上側、下側、左側及び右側の４つの帯状独立層部２１１ｂを、図８にて示す形状を有するように、ポリイミド等の電気絶縁材料でもって１２（μｍ）〜５０（μｍ）の範囲以内の厚さにて薄膜状にかつ一体的に形成されている。なお、本第１実施形態において、上下左右の各側の帯状独立層部２１１ｂは、それぞれ、図８にて示すごとく、図示上側、図示下側、図示左側及び図示右側に位置する帯状独立層部をいう。
【００５２】
電気絶縁層２１１において、４つの帯状独立層部２１１ｂは、矩形状共通層部２１１ａと一体的に形成されている。ここで、図８にて示すごとく、上側帯状独立層部２１１ｂは、矩形状共通層部２１１ａの図示上側外縁部の図示左右方向中央部から上方へ延出し、下側帯状独立層部２１１ｂは、矩形状共通層部２１１ａの図示下側外縁部の図示左右方向中央部から下方へ延出し、左側帯状独立層部２１１ｂは、矩形状共通層部２１１ａの図示左側外縁部の図示上下方向中央部から左方へ延出し、また、右側帯状独立層部２１１ｂは、矩形状共通層部２１１ａの図示右側外縁部の図示上下方向中央部から右方へ延出している。このことは、電気絶縁層２１１は、４つの帯状独立層部２１１ｂを矩形状共通層部２１１ａから十字状にかつ一体的に延出させるように構成されていることを意味する。
【００５３】
４つの給電配線２１２は、長手状の柔軟性銅箔でもって、図８にて示すごとく、電気絶縁層２１１の表面に沿い形成されている。４つの給電配線２１２のうち、上側の給電配線２１２は、上側の２個のＬＥＤ２１０ｂ（図４（ｂ）参照）のための３つの給電配線部でもって構成されて、図８にて示すごとく、電気絶縁層２１１の上側帯状独立層部２１１ｂ及び矩形状共通層部２１１ａの各表面に亘るように、上側帯状独立層部２１１ｂの延出先端部から矩形状共通層部２１１ａの上側外縁部の左側部位にかけて形成されている。なお、上述の柔軟性銅箔は、一般的には、柔軟性銅薄膜であってもよい。また、本第１実施形態において、上述の上側の２個のＬＥＤ２１０ｂとは、図４（ｂ）にて示すように、図示上側の２個のＬＥＤをいう。
【００５４】
下側給電配線２１２は、下側の２個のＬＥＤ２１０ｂ（図４（ｂ）参照）のための３つの給電配線部でもって構成されており、これら各給電配線部は、図８にて示すごとく、電気絶縁層２１１の下側帯状独立層部２１１ｂ及び矩形状共通層部２１１ａの各表面に亘るように、下側帯状独立層部２１１ｃの延出先端部から矩形状共通層部２１１ａの右側外縁部の下側部位にかけて形成されている。なお、本第１実施形態において、上述の下側の２個のＬＥＤ２１０ｂとは、図４（ｂ）にて示すように、図示下側の２個のＬＥＤをいう。
【００５５】
左側給電配線２１２は、左側の２個のＬＥＤ２１０ｂ（図４（ｂ）参照）のための３つの給電配線部でもって構成されており、これら各給電配線部は、図８にて示すごとく、電気絶縁層２１１の左側帯状独立層部２１１ｂ及び矩形状共通層部２１１ａの各表面に亘るように、左側帯状独立層部２１１ｂの延出先端部から矩形状共通層部２１１ａの左側外縁部の上側部位にかけて形成されている。なお、本第１実施形態において、上述の左側の２個のＬＥＤ２１０ｂとは、図４（ｂ）にて示すように、図示左側の２個のＬＥＤをいう。
【００５６】
また、右側給電配線２１２は、右側の２個のＬＥＤ２１０ｂ（図４（ｂ）参照）のための３つの給電配線部でもって構成されており、これら各給電配線部は、図８にて示すごとく、電気絶縁層２１１の右側帯状独立層部２１１ｂ及び矩形状共通層部２１１ａの各表面に亘るように、右側帯状独立層部２１１ｂの延出先端部から矩形状共通層部２１１ａの右側外縁部の下側部位にかけて形成されている。なお、本第１実施形態において、上述の右側の２個のＬＥＤ２１０ｂとは、図４（ｂ）にて示すように、図示右側の２個のＬＥＤをいう。
【００５７】
本第１実施形態では、各給電配線２１２の厚さは、従来と同様に、例えば、０．２（ｍｍ）となっているが、上記各給電配線部の幅は、従来の給電配線部の所定幅（例えば、０．５（ｍｍ））よりも広く、例えば、３倍の広さ（１．５（ｍｍ））に設定されている。
【００５８】
２つの柔軟性接地配線２１３のうち、上側接地配線２１３は、電気絶縁層２１１を介し上側及び左側の両給電配線２１２に対向するように、上側帯状独立層部２１１ｂ、矩形状共通層部２１１ａ及び左側帯状独立層部２１１ｂの各裏面に沿い、長手状の柔軟性銅箔でもって、帯状に形成されている。一方、下側接地配線２１３は、電気絶縁層２１１を介し右側及び下側の両給電配線２１２に対向するように、右側帯状独立層部２１１ｂ、矩形状共通層部２１１ａ及び下側帯状独立層部２１１ｂの各裏面に沿い、長手状の柔軟性銅箔でもって、帯状に形成されている。
【００５９】
本第１実施形態では、各接地配線２１３の厚さ及び幅は、それぞれ、従来と同様に、例えば、０．２（ｍｍ）及び１（ｍｍ）に設定されている。
【００６０】
なお、電気絶縁層２１１は、その表面にて、各給電配線２１２を介し、透明の絶縁被覆膜部ｒにより被覆されており、電気絶縁層２１１の裏面は、各接地配線２１３を介し、透明の絶縁被覆膜部ｓによって被覆されている（図８参照）。このことは、電気絶縁層２１１、各給電配線２１２及び各接地配線２１３が、両絶縁被覆膜部ｒ、ｓでもって、フレキシブルプリント基板２１０ａに内包されていることを意味する。
【００６１】
また、本第１実施形態においては、以下、フレキシブルプリント基板２１０ａのうち電気絶縁層２１１の矩形状共通層部２１１ａに対する対応部位を、矩形状共通基板部Ｆ１といい、フレキシブルプリント基板２１０ａのうち電気絶縁層２１１の上側、下側、左側及び右側の独立層部２１１ｂに対する各対応部位を、上側、下側、左側及び右側の各帯状独立基板部Ｆ２という（図８参照）。
【００６２】
これに伴い、上側、下側、左側及び右側の給電配線２１２並びに上側及び下側の接地配線２１３のうち、共通層部２１１ａに対する各対応部位は、共通基板部Ｆ１に内包されるとともに、上側、下側、左側及び右側の給電配線２１２並びに上側及び下側の接地配線２１３のうちの各独立層部２１１ｂに対する各対応部位は、それぞれ、各独立基板部Ｆ２に内包されていることとなる。
【００６３】
また、電飾盤２３０において、８個のＬＥＤ２１０ｂは、ＬＥＤ毎に、電飾作動素子としての役割を果たすもので、当該８個のＬＥＤ２１０ｂは、それぞれ、赤色（Ｒ）、緑色（Ｇ）及び青色（Ｂ）の各発光部（以下、発光部Ｒ、発光部Ｇ及び発光部Ｂともいう）を各電飾作動部として有するＬＥＤでもって構成されている。
【００６４】
上側の２個のＬＥＤ２１０ｂは、フレキシブルプリント基板２１０ａの上側独立基板部Ｆ２のうち上側独立層部２１１ｂの先端側部位に対する対応部位（以下、独立先端側部位ａともいう）に互いに間隔をおいて絶縁被覆膜部ｒ側から搭載されている（図５および図８参照）。なお、上側独立基板部Ｆ２のうち上側独立層部２１１ｂの基端側部位に対する対応部位は、以下、独立基端側部位ｂともいう（図５および図８参照）。
【００６５】
ここで、上側の２個のＬＥＤ２１０ｂは、それぞれ、その発光部Ｒ、発光部Ｇ及び発光部Ｂの各正側端子にて、絶縁被覆膜部ｒのうち独立先端側部位ａに対する対応部位を介し、給電配線２１２の各給電配線部に半田付けにより接続されている。
【００６６】
下側の２個のＬＥＤ２１０ｂは、フレキシブルプリント基板２１０ａの下側独立基板部Ｆ２のうち下側独立層部２１１ｂの先端側部位に対する対応部位（以下、独立先端側部位ｃともいう）に互いに間隔をおいて絶縁被覆膜部ｒ側から搭載されている（図５および図８参照）。なお、下独立基板部Ｆ２のうち下側独立層部２１１ｂの基端側部位に対する対応部位は、以下、独立基端側部位ｄともいう（図５および図８参照）。
【００６７】
ここで、下側の２個のＬＥＤ２１０ｂは、それぞれ、その発光部Ｒ、発光部Ｇ及び発光部Ｂの各正側端子にて、絶縁被覆膜部ｒのうち独立先端側部位ｃに対する対応部位を介し、下側給電配線２１２の各給電配線部に半田付けにより接続されている。
【００６８】
左側の２個のＬＥＤ２１０ｂは、フレキシブルプリント基板２１０ａの左側独立基板部Ｆ２のうち左側独立層部２１１ｂの先端側部位に対する対応部位（以下、独立先端側部位ｅともいう）に互いに間隔をおいて絶縁被覆膜部ｒ側から搭載されている（図５および図８参照）。なお、左側独立基板部Ｆ４のうち左側独立層部２１１ｂの基端側部位に対する対応部位は、以下、左側独立基端側部位ｆともいう（図５および図８参照）。
【００６９】
ここで、左側の２個のＬＥＤ２１０ｂは、それぞれ、その発光部Ｒ、発光部Ｇ及び発光部Ｂの各正側端子にて、それぞれ、絶縁被覆膜部ｒのうち独立先端側部位ｅに対する対応部位を介し、左側給電配線２１２の各給電配線部に半田付けにより接続されている。
【００７０】
右側の２個のＬＥＤ２１０ｂは、フレキシブルプリント基板２１０ａの右側独立基板部Ｆ２のうち右側独立層部２１１ｂの先端側部位に対する対応部位（以下、独立先端側部位ｇともいう）に互いに間隔をおいて絶縁被覆膜部ｒ側から搭載されている（図５および図８参照）。なお、右側独立基板部Ｆ２のうち右側独立層部２１１ｂの基端側部位に対する対応部位は、以下、独立基端側部位ｈともいう（図５および図８参照）。
【００７１】
ここで、右側の２個のＬＥＤ２１０ｂは、それぞれ、その発光部Ｒ、発光部Ｇ及び発光部Ｂの各正側端子にて、絶縁被覆膜部ｒのうち独立先端側部位ｇに対する対応部位を介し、右側給電配線２１２の各給電配線部に半田付けにより接続されている。
【００７２】
また、上側の２個のＬＥＤ２１０ｂの各々の発光部Ｒ、発光部Ｇ及び発光部Ｂは、その各負側端子にて、ともに、上側接地配線２１３のうち独立先端側部位ａに対する対応配線部位に上側独立層部２１１ｂを通し半田接続され、下側の２個のＬＥＤ２１０ｂの各々の発光部Ｒ、発光部Ｇ及び発光部Ｂは、その各負側端子にて、下側接地配線２１３のうち独立先端側部位ｃに対する対応配線部位に下側独立層部２１１ｂを通し半田接続され、左側の２個のＬＥＤ２１０ｂのうち独立先端側部位ｅに対する対応配線部位に左側独立層部２１１ｅを通し半田接続され、また、右側の２個のＬＥＤ２１０ｂのうち独立先端側部位ｇに対する対応配線部位に右側独立層部２１１ｂを通し半田接続されている。
【００７３】
これにより、上側の２個のＬＥＤ２１０ｂの各々は、発光部Ｒ、発光部Ｇ或いは発光部Ｂにて、発光駆動回路（図示しない）から上側給電配線２１２と上側接地配線２１３との間にて信号電圧を印加されて、赤色、緑色或いは青色にて発光する。下側の２個のＬＥＤ２１０ｂの各々は、発光部Ｒ、発光部Ｇ或いは発光部Ｂにて、上記発光駆動回路から下側給電配線２１２と下側接地配線２１３との間にて信号電圧を印加されて、赤色、緑色或いは青色にて発光する。
【００７４】
左側の２個のＬＥＤ２１０ｂの各々は、発光部Ｒ、発光部Ｇ或いは発光部Ｂにて、上記発光駆動回路から左側給電配線２１２と上側接地配線２１３の間にて信号電圧を印加されて、赤色、緑色或いは青色にて発光する。また、右側の２個のＬＥＤ２１０ｂの各々は、発光部Ｒ、発光部Ｇ或いは発光部Ｂにて、上記発光駆動回路から右側給電配線２１２と下側接地配線２１３の間にて信号電圧を印加されて、赤色、緑色或いは青色にて発光する。本第１実施形態では、上側、下側、左側及び右側の各２個のＬＥＤ２１０ｂは、当該２個のＬＥＤごとに、独立的に発光するように上記発光駆動回路により駆動される。
【００７５】
上側、下側、左側及び右側の装飾部材２２０は、共に、同一の構成からなるものであって、矩形状の底板２３０を介し支持体２００ｂに揺動可能に連結されている。これら装飾部材２２０は、それぞれ、図３〜図７及び図９〜図１２のいずれかにて示すごとく、装飾板２２１と、円筒状連結筒２２２と、帯状リンク２２３とにより構成されている。
【００７６】
本第１実施形態において、上側装飾部材２２０の装飾板２２１、円筒状連結筒２２２及び帯状リンク２２３は、以下、それぞれ、上側装飾板２２１、上側連結筒２２２及び上側帯状リンク２２３ともいう。下側装飾部材２２０の装飾板２２１、円筒状連結筒２２２及び帯状リンク２２３は、以下、それぞれ、下側装飾板２２１、下側連結筒２２２及び下側帯状リンク２２３ともいう。左側装飾部材２２０の装飾板２２１、円筒状連結筒２２２及び帯状リンク２２３は、以下、それぞれ、左側装飾板２２１、左側連結筒２２２及び左側帯状リンク２２３ともいう。また、右側装飾部材２２０の装飾板２２１、円筒状連結筒２２２及び帯状リンク２２３は、以下、それぞれ、右側装飾板２２１、右側連結筒２２２及び右側帯状リンク２２３ともいう。
【００７７】
上側、下側、左側及び右側の装飾板２２１は、共に、正三角形状の板からなるもので、当該各装飾板２２１は、図３（ｃ）、図４（ｃ）、図１０（ｃ）、図１１（ｃ）及び図１２（ｃ）のいずれかから分かるように、外方へ凸な球面形状となるように形成されている。
【００７８】
上側、下側、左側及び右側の連結筒２２２は、それぞれ、上側、下側、左側及び右側の装飾板２２２を矩形状の底板２３０の上側、下側、左側及び右側の外縁部に揺動可能に連結するためのもので、当該各連結筒２２２は、図９にて拡大して例示するごとく、各対応の装飾板２２１の底辺部２２１ａの長手方向中央部に沿い一体的に形成されて当該長手方向中央部から外方へ突出している。
【００７９】
上側、下側、左側及び右側の帯状リンク２２３は、それぞれ、上側、下側、左側及び右側の連結筒２２２を駆動機構２００ｃの各歯車部材２４０に相対回動可能に連結するためのもので、当該各板リンク２２２は、図９にて拡大して例示するごとく、各対応の連結筒２２２の軸方向中央部から外方へ延出している。ここで、当該各帯状リンク２２３は、その板面（板厚方向に直交する面）にて、それぞれ、各対応の連結筒２２２の軸に平行となるように、当該各対応の連結筒２２２から延出しており、各帯状リンク２２３の上記板面は、それぞれ、各対応の装飾板２２１の輪郭で形成される面とほぼ同一面内に位置する。
【００８０】
矩形状の底板２３０は、図９にて拡大して示すごとく、矩形状の板本体２３１及び上側、下側、左側及び右側の両対向筒部２３２でもって構成されており、当該底板２３０は、板本体２３１の各隅角部にて、図４にて例示するごとく、支持体２２０ｂの支持板２０１と平行となるように、支持体２２０ｂの４本の支柱２０２の各延出端部に支持されている。上側の両対向筒部２３２は、板本体２３１の上側外縁部にその両端側にて同軸的に形成され、下側の両対向筒部２３２は、板本体２３１の下側外縁部にその両端側にて同軸的に形成され、左側の両対向筒部２３２は、板本体２３１の左側外縁部にその両端側にて同軸的に形成され、また、右側の両対向筒部２３２は、板本体２３１の右側外縁部にその両端側にて同軸的に形成されている（図９参照）。
【００８１】
ここで、上述のように構成した上側、下側、左側及び右側の装飾部材２２０の矩形状の底板２３０に対する組み付け構成及び各装飾部材２２０及び底板２３０に対する電飾盤２１０の組み付け構成について説明する。
【００８２】
まず、各装飾部材２２０は、底板２３０に対しつぎのように組み付けられている。上側、下側、左側及び右側の装飾部材２２０において、上側、下側、左側及び右側の連結筒２２２は、それぞれ、上側、下側、左側及び右側の連結ピン２２２ａ及び上側、下側、左側及び右側の両ストップリング２２２ｂを介し、図９にて拡大して例示するごとく、底板２３０の上側、下側、左側及び右側の各両対向筒部２３２に相対回動可能に連結されている。
【００８３】
具体的には、上側連結筒２２２は、底板２３０の上側両対向筒部２３２の間に挿入された状態で、上側連結ピン２２２ａを上側両対向筒部２３２の一方、上側連結筒２２２及び上側両対向筒部２３２の他方に挿通することで、上側両対向筒部２３２に同軸的にかつ相対回動可能に連結されている。なお、上側連結ピン２２２ａは、その両端部に上側両ストップリング２２２ｂを同軸的に嵌着することで、上側両対向筒部２３２から抜け止めされている。
【００８４】
下側連結筒２２２は、底板２３０の下側両対向筒部２３２の間に挿入された状態で、下側連結ピン２２２ａを下側両対向筒部２３２の一方、下側連結筒２２２及び下側両対向筒部２３２の他方に挿通することで、下側両対向筒部２３２に同軸的にかつ相対回動可能に連結されている。なお、下側連結ピン２２２ａは、その両端部に下側両ストップリング２２２ｂを同軸的に嵌着することで、下側両対向筒部２３２から抜け止めされている。
【００８５】
左側連結筒２２２は、底板２３０の左側両対向筒部２３２の間に挿入された状態で、左側連結ピン２２２ａを左側両対向筒部２３２の一方、左側連結筒２２２及び左側両対向筒部２３２の他方に挿通することで、左側両対向筒部２３２に同軸的にかつ相対回動可能に連結されている。なお、左側連結ピン２２２ａは、その両端部に左側両ストップリング２２２ｂを同軸的に嵌着することで、左側両対向筒部２３２から抜け止めされている。
【００８６】
右側連結筒２２２は、底板２３０の右側両対向筒部２３２の間に挿入された状態で、右側連結ピン２２２ａを右側両対向筒部２３２の一方、右側連結筒２２２及び右側両対向筒部２３２の他方に挿通することで、右側両対向筒部２３２に同軸的にかつ相対回動可能に連結されている。なお、右側連結ピン２２２ａは、その両端部に右側両ストップリング２２２ｂを同軸的に嵌着することで、右側両対向筒部２３２から抜け止めされている。
【００８７】
以上のように各装飾部材２２０を底板２３０に組み付けることで、上下両側装飾部材２２０は、後述する駆動機構２００ｃの作動のもとに、底板２３０の上下両側縁部を基準に互いに上下の逆向きに揺動するとともに、左右両側装飾部材２２０は、底板２３０の左右両側縁部を基準に互いに左右の逆向きに揺動するようになっている。これにより、上側、下側、左側及び下側の装飾部材２２０は、各対応の装飾板２２１にて、４枚の花弁として開閉するように揺動する。
【００８８】
また、電飾盤２１０は、上側、下側、左側及び右側の装飾部材２２０の矩形状の底板２３０に対しつぎのように組み付けられている。電飾盤２１０において、フレキシブルプリント基板２１０ａは、各２個のＬＥＤ２１０ｂを、各対応の帯状独立基板部Ｆ２を介し各対応の装飾板２２１に対向させるようにして、共通基板部Ｆ１にて、底板２３０の板本体２３１の前面に沿い固着されている。なお、共通基板部Ｆ１は、その各隅角部にて、板本体２３１の各隅角部に内側から対向するように、板本体２３１の前面に固着されている（図４（ｂ）参照）。
【００８９】
また、上側帯状独立基板部Ｆ２は、底板２３０の板本体２３１の左右方向中央上縁部及び上側装飾板２２１の裏面の左右方向中央部に沿い搭載されるように共通基板部Ｆ１から延出しており、当該上側帯状独立基板部Ｆ２の独立先端側部位ａは、上側装飾板２２１の裏面の左右方向中央部に固着されている（図４（ｂ）参照）。これに伴い、上側の２個のＬＥＤ２１０ｂは、下側装飾板２２１側に向けて発光するように位置する。
【００９０】
下側帯状独立基板部Ｆ２は、底板２３０の板本体２３１の左右方向中央下縁部及び下側装飾板２２１の裏面の左右方向中央部に沿い搭載されるように共通基板部Ｆ１から延出しており、当該下側帯状独立基板部Ｆ２の独立先端側部位ｃは、下側装飾板２２１の裏面の左右方向中央部に固着されている（図４（ｂ）参照）。これに伴い、下側の２個のＬＥＤ２１０ｂは、上側装飾板２２１側に向けて発光するように位置する。
【００９１】
左側帯状独立基板部Ｆ２は、底板２３０の板本体２３１の上下方向中央左縁部及び左側装飾板２２１の裏面の上下方向中央部に沿い搭載されるように共通基板部Ｆ１から延出しており、当該左側帯状独立基板部Ｆ２の独立先端側部位ｅは、左側装飾板２２１の裏面の上下方向中央部に固着されている（図４（ｂ）参照）。これに伴い、左側の２個のＬＥＤ２１０ｂは、右側装飾板２２１側に向けて発光するように位置する。
【００９２】
また、右側帯状独立基板部Ｆ２は、底板２３０の板本体２３１の上下方向中央右縁部及び右側装飾板２２１の裏面の上下方向中央部に沿い搭載されるように共通基板部Ｆ１から延出しており、当該右側帯状独立基板部Ｆ２の独立先端側部位ｇは、右側装飾板２２１の裏面の上下方向中央部に固着されている（図４（ｂ）参照）。これに伴い、右側の２個のＬＥＤ２１０ｂは、左側装飾板２２１側に向けて発光するように位置する。
【００９３】
駆動機構２００ｃは、（図５にて示すごとく、上側、下側、左側及び右側の歯車部材２４０と、上側、下側、左側及び右側の連結部材２５０と、ステップモータ２６０とを備えている。本第１実施形態において、上側、下側、左側及び右側の歯車部材２４０は、それぞれ、図６（ｂ）にて示すごとく、図示上側、図示下側、図示左側及び図示右側に位置する各歯車部材をいうもので、これら上側、下側、左側及び右側の歯車部材２４０は、それぞれ、上側、下側、左側及び右側の装飾部材２２０に対応する。また、上側、下側、左側及び右側の連結部材２５０も、同様に、上側、下側、左側及び右側の装飾部材２２０に対応するものである。
【００９４】
上側、下側、左側及び右側の歯車部材２４０のうち、上側歯車部材２４０は、図５にて示すごとく、歯車２４１及び円柱状突起２４２を備えている。また、下側、左側及び右側の歯車部材２４０は、共に、同一の構成を有するもので、これら下側、左側及び右側の歯車部材２４０は、図５にて示すごとく、上側歯車部材２４０と同様に歯車２４１及び円柱状突起２４２を備え、かつ軸２４３を備えている。以下、上側歯車部材２４０の歯車２４１及び円柱状突起２４２は、それぞれ、上側歯車２４１及び上側突起２４２といい、下側歯車部材２４０の歯車２４１、円柱状突起２４２及び軸２４３は、それぞれ、下側歯車２４１、下側突起２４２及び下側軸２４３といい、左側歯車部材２４０の歯車２４１、円柱状突起２４２及び軸２４３は、それぞれ、左側歯車２４１、左側突起２４２及び左側軸２４３といい、また、右側歯車部材２４０の歯車２４１、円柱状突起２４２及び軸２４３は、それぞれ、右側歯車２４１、右側突起２４２及び右側軸２４３という。
【００９５】
上側、下側、左側及び右側の歯車２４１は、それぞれ、図１０にて例示するごとく、平歯車部２４１ａと、この平歯車部２４１ａから同軸的に延出するボス部２４１ｂとにより構成されており、上側歯車２４１は、その平歯車部２４１ａ及びボス部２４１ｂにて、支持板２０１の貫通孔部２０１ａ（図５参照）に挿通してなるステップモータ２６０の出力軸２６１に同軸的に支持されている。ここで、ステップモータ２６０は、出力軸２６１を支持板２０１の裏面側から貫通孔部２０１ａに同軸的にかつ回転自在に挿通させるように支持板２０１にその裏面側から組み付けられている。なお、以下、上側、下側、左側及び右側の歯車２４１の各平歯車部２４１ａは、それぞれ、上側平歯車部２４１ａ、下側平歯車部２４１ａ、左側平歯車部２４１ａ及び右側平歯車部２４１ａともいう。
【００９６】
また、上側突起２４２は、図５にて示すごとく、上側歯車２４１の平歯車部２４１ａの外周部から前方に向けて突設されている。これにより、上側突起２４２は、ステップモータ２６０の回転に応じて、上側歯車２４１とともにその外周部の回転方向に回転する。なお、ステップモータ２６０は、モータ駆動回路（図示しない）により駆動されて回転する。
【００９７】
下側歯車部材２４０は、左右両側の歯車部材２４０の下側にて、上側歯車部材２４０の直下に位置するように、下側軸２４３にて、支持板２０１の貫通孔部２０１ｂ（図５参照）に同軸的に且つ回転自在に支持されて、その平歯車部２４１ａにて、左右両側の歯車部材２４０の各平歯車部２４１ａに噛合している。ここで、左右両側の歯車部材２４０の各平歯車部２４１ａは、後述のごとく、上側歯車部材２４０の平歯車部２４１ａと噛合している。
【００９８】
また、下側突起２４２は、図５にて示すごとく、下側歯車２４１の平歯車部２４１ａの外周部から前方に向けて突設されている。これにより、下側突起２４２は、左右両側の歯車部材２４０の各平歯車部２４１ａの同一方向への回転に伴う下側歯車部材２４０の平歯車部２４１ａの回転に応じて、この平歯車部２４１ａの外周部の回転方向に回転する。
【００９９】
左側歯車部材２４０は、その平歯車部２４１ａを上側及び下側の両歯車部材２４０の各平歯車部２４１ａに噛合させるように、左側軸２４３にて、支持板２０１の貫通孔部２０１ｃ（図５参照）に同軸的に且つ回転自在に支持されている。また、左側突起２４２は、図５にて示すごとく、左側歯車部材２４０の平歯車部２４１ａの外周部から前方に向けて突設されている。これにより、左側突起２４２は、上側の歯車部材２４０の平歯車部２４１ａの回転に伴う左側歯車部材２４０の平歯車部２４１ａの回転に応じて、この平歯車部２４１ａの外周部の回転方向に回転する。
【０１００】
また、右側歯車部材２４０は、その平歯車部２４１ａを上側及び下側の両歯車部材２４０の各平歯車部２４１ａに噛合させるように、右側軸２４３にて、支持板２０１の貫通孔部２０１ｄ（図５参照）に同軸的に且つ回転自在に支持されている。また、右側突起２４２は、図５にて示すごとく、右側歯車部材２４０の平歯車部２４１ａの外周部から前方に向けて突設されている。これにより、右側突起２４２は、上側の歯車部材２４０の平歯車部２４１ａの回転に伴う右側歯車部材２４０の平歯車部２４１ａの回転に応じて、この平歯車部２４１ａの外周部の回転方向に回転する。
【０１０１】
上側、下側、左側及び右側の連結部材２５０は、それぞれ、図５にて示すごとく、１本の金属線を八の字状に折り曲げて、両リング２５１をロッド２５２で連結する構成となるように形成されている。各連結部材２５０において、ロッド２５２は、両リング２５１の中心線を結ぶ線上に位置するように、両リング２５１の対応外周部間にて連結されている。
【０１０２】
しかして、上側連結部材２５０は、両リング２５１の一方にて、上側突起２４２に外方から相対回動自在に嵌装されて、上側ストップリング２５３により上側突起２４２に対し抜け止めされている（図５参照）。また、上側連結部材２５０は、両リング２５１の他方にて、上側装飾部材２２０の上側帯状リンク２２３の延出先端部に形成した係止孔部２２３ａ（図９参照）に相対回動可能に連結している。ここで、両リング２５１の他方は、折り曲げ端部の折り曲げ開始部との間から上側帯状リンク２２３の延出先端部を介しその係止孔部２２３ａ内に進入させることで、上側帯状リンク２２３に連結されている。
【０１０３】
下側連結部材２５０は、両リング２５１の一方にて、下側突起２４２に外方から相対回動自在に嵌装されて、下側ストップリング２５３により下側突起２４２に対し抜け止めされている（図５参照）。また、下側連結部材２５０は、両リング２５１の他方にて、下側装飾部材２２０の下側帯状リンク２２３の延出先端部に形成した係止孔部２２３ａに相対回動可能に連結している。ここで、下側連結部材２５０の両リング２５１の他方は、折り曲げ端部の折り曲げ開始部との間から下側帯状リンク２２３の延出先端部を介しその係止孔部２２３ａ内に進入させることで、下側帯状リンク２２３に連結されている。
【０１０４】
左側連結部材２５０は、両リング２５１の一方にて、左側突起２４２に外方から相対回動自在に嵌装されて、左側ストップリング２５３により左側突起２４２に対し抜け止めされている（図５参照）。また、左側連結部材２５０は、両リング２５１の他方にて、左側装飾部材２２０の左側帯状リンク２２３の延出先端部に形成した係止孔部２２３ａに相対回動可能に連結している。ここで、左側連結部材２５０の両リング２５１の他方は、折り曲げ端部の折り曲げ開始部との間から左側帯状リンク２２３の延出先端部を介しその係止孔部２２３ａ内に進入させることで、左側帯状リンク２２３に連結されている。
【０１０５】
また、右側連結部材２５０は、両リング２５１の一方にて、右側突起２４２に外方から相対回動自在に嵌装されて、右側ストップリング２５３により右側突起２４２に対し抜け止めされている（図５参照）。また、右側連結部材２５０は、両リング２５１の他方にて、右側装飾部材２２０の右側帯状リンク２２３の延出先端部に形成した係止孔部２２３ａに相対回動可能に連結している。ここで、右側連結部材２５０の両リング２５１の他方は、折り曲げ端部の折り曲げ開始部との間から右側帯状リンク２２３の延出先端部を介しその係止孔部２２３ａ内に進入させることで、右側帯状リンク２２３に連結されている。
【０１０６】
但し、本第１実施形態においては、各装飾板２２１が互いに同期して同一の揺動態様にて揺動するように、上側、下側、左側及び右側の突起２４２が、図６（ｂ）にて示すごとく、それぞれ、各装飾板２２１を共に閉じた揺動位置に対応する回転位置にある状態にて、上下両側歯車部材２４０の各平歯車部２４１が、左右両側歯車部材２４０の各平歯車部２４１に噛合するように、上下左右の各側歯車部材２４０の平歯車部２４１の噛合位置が予め調整されている。
【０１０７】
以上      のように構成した本第１実施形態において、可動演出装置２００は、現段階において、上側、下側、左側及び右側の装飾部材２２０は、図３にて示すごとく、各対応の装飾板２２１にて、あたかも花びらを閉じるように、閉じた状態にあるものとする。
【０１０８】
このとき、駆動機構２００ｃでは、上側及び下側の歯車部材２４０の各対応突起２４２は、図６（ｂ）にて示すごとく、それぞれ、上側平歯車部２４１ａの外周部の図示上端部上及び下側平歯車部２４１ａの外周部の図示下端部上に位置する。一方、左側及び右側の歯車部材２４０の各対応突起２４２は、図６（ｂ）にて示すごとく、それぞれ、左側平歯車部２４１ａの外周部の図示左端部上及び右側平歯車部２４１ａの外周部の図示右端部上に位置する。このことは、上側、下側、左側及び右側の突起２４２が、各平歯車部２４１ａの中心を通る十字状の直線上にて互いに最も離れた位置にあることを意味する。
【０１０９】
また、このとき、各装飾部材２２０の装飾板２２１は、上述の各対応突起２４２の位置で規制される各対応帯状リンク２２３の位置との関係で、図１０（ａ）〜（ｃ）にて例示するような閉じた状態にある。
【０１１０】
このような状態において、ステップモータ２６０が、上記モータ駆動回路により駆動されて、一方向（例えば、図６（ｂ）にて図示時計方向）に回転すると、上側平歯車部２４１ａが、上側突起２４２と共に、ステップモータ２６０により駆動されて図示時計方向に回転する。
【０１１１】
これに伴い、左右両側の各平歯車部２４１ａが、上側平歯車部２４１ａとの噛合のもとに、左右両側突起２４２と共に、図６（ｂ）にて図示反時計方向に回転する。すると、下側平歯車部２４１ａが、下側突起２４２と共に、左右両側の各平歯車部２４１ａとの噛合のもとに、図６（ｂ）にて図示時計方向に回転する。
【０１１２】
このように各平歯車部２４１ａ及び各突起２４２が回転すると、上側帯状リンク２２３が、上側平歯車部２４１ａの時計方向への回転に応じて、上側連結部材２５０により時計方向に引っ張られて上側装飾板２２１を開く方向に揺動させ、左右両側の帯状リンク２２３が、左右両側の平歯車部２４１ａの反時計方向への回転に応じて、左右両側の連結部材２５０により反時計方向に引っ張られて左右両側の各装飾板２４１を開く方向に揺動させ、かつ、下側帯状リンク２２３が、下側平歯車部２４１ａの時計方向への回転に応じて、下側連結部材２５０により時計方向に引っ張られて下側装飾板２２１を開く方向に揺動させる。
【０１１３】
しかして、上側、下側、左側及び右側の装飾板２４１が共に開き終えたとき、上側及び下側の歯車部材２４０の各対応突起２４２は、図７（ｂ）にて示すごとく、それぞれ、上側平歯車部２４１ａの外周部の図示下端部上及び下側平歯車部２４１ａの外周部の図示上端部上に位置する。一方、左側及び右側の歯車部材２４０の各対応突起２４２は、図７（ｂ）にて示すごとく、それぞれ、左側平歯車部２４１ａの外周部の図示右端部上及び右側平歯車部２４１ａの外周部の図示左端部上に位置する。このことは、上側、下側、左側及び右側の突起２４２が、各平歯車部２４１ａの中心を通る十字状の直線上にて互いに最も近い位置にあることを意味する。
【０１１４】
また、各装飾部材２２０の装飾板２２１は、上述の各対応突起２４２の位置で規制される各対応帯状リンク２２３の位置との関係で、図１２（ａ）〜（ｃ）にて例示するような開き終えた状態にある。
【０１１５】
また、上述のような各装飾板２２１の揺動開始にあたり、上記発光駆動回路が、電飾盤２１０においてフレキシブルプリント基板２１０ａの上側及び左側の給電配線２１２と上側接地配線２１３との間及び下側及び右側の給電配線２１２と下側接地配線２１３との間に信号電圧を印加すれば、８個のＬＥＤ２１０ｂが、それぞれ、その発光部Ｒ、発光部Ｇ或いは発光部Ｂでもって、赤色、緑色或いは青色にてフルカラー光として発光する。
【０１１６】
但し、８個のＬＥＤ２１０ｂは、２個のＬＥＤ２１０ｂ毎に、各対応の装飾板２１２の裏側に設けられている。このため、上述のように８個のＬＥＤ２１０ｂが発光しても、上述のように各装飾板２２１が共に閉じた状態にあっては、各ＬＥＤ２１０ｂからの光は、各装飾板２２１により遮蔽される。従って、遊技者は、可動演出装置２００の各装飾板２２１をその表面側から視認することとなる。
【０１１７】
上述のように共に閉じた状態にある各装飾板２２１が、上述のごとく、その各揺動に基づき、図１１にて例示する状態から図１２にて例示する状態に向けて開いていくと、８個のＬＥＤ２１０ｂが、各装飾板２２１の開度に応じて遊技盤Ｂａの前方に向け露呈しつつ遊技者により視認されていく。このとき、８個のＬＥＤ２１０ｂからのフルカラー光のうち遊技盤Ｂａの前方に向け出射される光量が増大していく。
【０１１８】
そして、各装飾板２２１が図１２にて例示するごとく開き終えると、８個のＬＥＤ２１０ｂは、遊技盤Ｂａの前方に向け完全に露呈した状態で遊技者により視認されることとなる。従って、８個のＬＥＤ２１０ｂからのフルカラー光は、すべて、遊技者により目視されることとなる。
【０１１９】
然る後、ステップモータ２６０が、上記モータ駆動回路により駆動されて、上記一方向（例えば、図７（ｂ）にて図示時計方向）にさらに回転すると、上側平歯車部２４１ａが、上側突起２４２と共に、ステップモータ２６０により駆動されて、図７（ｂ）にて示す位置からさらに図示時計方向に回転する。
【０１２０】
これに伴い、左右両側の各平歯車部２４１ａが、左右両側突起２４２と共に、上側平歯車部２４１ａとの噛合のもとに、図７（ｂ）にて示す各位置からさらに図示反時計方向に回転する。すると、下側平歯車部２４１ａが、下側突起２４２と共に、左右両側の各平歯車部２４１ａとの噛合のもとに、図７（ｂ）にて示す位置からさらに図示時計方向に回転する。
【０１２１】
このように各平歯車部２４１ａ及び各突起２４２が回転すると、上側帯状リンク２２３が、上側平歯車部２４１ａの時計方向への回転に応じて、上側連結部材２５０により時計方向に引っ張られて上側装飾板２２１を閉じる方向に揺動させ、左右両側の帯状リンク２２３が、左右両側の平歯車部２４１ａの反時計方向への回転に応じて、左右両側の連結部材２５０により反時計方向に引っ張られて左右両側の各装飾板２４１を閉じる方向に揺動させ、かつ、下側帯状リンク２２３が、下側平歯車部２４１ａの時計方向への回転に応じて、下側連結部材２５０により時計方向に引っ張られて下側装飾板２２１を閉じる方向に揺動させる。
【０１２２】
しかして、上側、下側、左側及び右側の装飾板２４１が共に閉じ終えたとき、上側及び下側の歯車部材２４０の各対応突起２４２は、図６（ｂ）にて示すごとく、それぞれ、上側平歯車部２４１ａの外周部の図示上端部上及び下側平歯車部２４１ａの外周部の図示下端部上に位置する。一方、左側及び右側の歯車部材２４０の各対応突起２４２は、図６（ｂ）にて示すごとく、それぞれ、左側平歯車部２４１ａの外周部の図示左端部上及び右側平歯車部２４１ａの外周部の図示右端部上に位置する。このことは、上側、下側、左側及び右側の突起２４２が、対向する両突起２４２毎に、各平歯車部２４１ａの中心を通る十字状の直線上にて互いに最も遠い位置にあることを意味する。
【０１２３】
また、各装飾部材２２０の装飾板２２１は、上述の各対応突起２４２の位置で規制される各対応帯状リンク２２３の位置との関係で、図１０（ａ）〜（ｃ）にて例示するような閉じ終えた状態にある。
【０１２４】
また、上述のように各装飾板２２１が閉じる方向に揺動する過程においては、８個のＬＥＤ２１０ｂからのフルカラー光が、各装飾板２２１の閉じる度合いに応じて順次遮蔽されていく。そして、各装飾板２２１が図１０にて例示するごとく閉じ終えると、８個のＬＥＤ２１０ｂは、そのフルカラー光と共に、完全に遮蔽されて、遊技者には視認されなくなる。
【０１２５】
以上によれば、各装飾板２２１が上述のように開閉することで、遊技者にとって、あたかも４枚の花びらが開閉するように見えるとともに、以上のように各ＬＥＤ２１０ｂからのフルカラー光の光量が各装飾板２２１の開閉に応じて変化することで、遊技者にとって、４枚の花びらがその発光量を変化させながら開閉するように見えるような演出が、可動演出装置２２０によりなされる。
【０１２６】
これにより、この種のパチンコ遊技機において、従来とは違った面白みのある演出効果が可動演出装置２２０により達成され得る。また、上述のような各装飾板２２１の開閉が、当該パチンコ遊技機の演出に応じて、各歯車部材１４０の１８０度の回転ごとに繰り返されることで、可動演出装置２２０による上述の演出効果がより一層高められ得る。
【０１２７】
ここで、本第１実施形態では、上述したごとく、電飾盤２１０において、底板２３０に支持される共通基板部Ｆ１と、この共通基板部Ｆ１と一体的に形成されるとともに当該共通基板部Ｆ１から互いに独立的に延出してなる４つの帯状独立基板部Ｆ２とが、単一のフレキシブルプリント基板２１０ａでもって形成されている。
【０１２８】
このため、可動演出装置２００において必要とされる各ＬＥＤ２０１ｂの搭載基板や当該各ＬＥＤ２０１ｂのための配線が、単一のフレキシブルプリント基板２１０ｂで済むこととなり、その結果、可動演出装置における基板の点数及び可動演出装置の組み立て作業工数を軽減させることができる。
【０１２９】
さらに、フレキシブルプリント基板２１０ａは、柔軟性電気絶縁層２１１、複数の給電配線２１２及び両接地配線２１３を内包するように構成されており、８個のＬＥＤ２１０ｂが、２個ずつ、各帯状独立基板部Ｆ２に絶縁被覆膜部ｒ側から搭載されて、上述のごとく、各対応の給電配線２１２及び各対応の接地配線２１３に接続されている。このため、可動演出装置における８個のＬＥＤ２１０ｂの各発光のための配線やコネクタ等の接続部品の点数や可動演出装置の組み立て作業工数を軽減させることができる。
【０１３０】
また、上述のごとく、電飾盤２１０のフレキシブルプリント基板２１０ａにおいては、各帯状独立基板部Ｆ２は、その各対応の基端側部位ｂ、ｄ、ｆ及びｈにて、底板２３０の板本体２３１上に設けられ、かつ、各対応の先端側部位ａ、ｃ、ｅ、ｇにて、各対応の装飾板２２１の裏面に設けられている。ここで、各装飾板２２１は、上述のごとく、底板２３０の各外縁部を基準にして、前後方向に揺動するように構成されている。
【０１３１】
従って、各帯状独立基板部Ｆ２の各対応の先端側部位ａ、ｃ、ｅ、ｇは、各対応の装飾板２２１の前後方向の揺動に連動して、各対応の基端側部位ｂ、ｄ、ｆ及びｈに対し前後方向に折れ曲がるように変位する。また、このような変位は、各装飾板２２１の前後方向の揺動の繰り返しにより繰り返される。これに伴い、各給電配線２１２が、各接地配線２１３よりも前側に位置する状態で、当該各給電配線２１２及び各接地配線２１３が、各先端側部位ａ、ｃ、ｅ、ｇに対する対応配線部位にて、各基端側部位ｂ、ｄ、ｆ及びｈに対する対応配線部位に対し、各帯状独立基板部Ｆ２と同様に折れ曲がり変位を繰り返す。
【０１３２】
このような繰り返し過程においては、上述のごとく各給電配線２１２が各対応の接地配線２１３よりも前側に位置することから、各帯状独立基板部Ｆ２の上述の折れ曲がり変位による負荷は、両接地配線２１３よりも複数の給電配線２１２の方にて大きく作用する。しかしながら、上述のごとく、各給電配線２１２は、それぞれ、上述したごとく幅広に形成されているため、各給電配線部２１２が、その長手方向湾折れ曲がり部位にて、断線等の導通不良を招くことはない。
【０１３３】
その結果、上述のような可動演出装置２００による演出効果及び当該可動演出装置２００における基板等の構成部品の点数、各ＬＥＤの発光のための配線等の接続部品の点数や可動演出装置の組み立て作業工数を軽減させる作用効果が、複数の給電配線２１２の断線等の導通不良の発生を未然に防止しつつ、達成され得る。
【０１３４】
なお、上述のごとく、各給電配線２１２が各対応の接地配線２１３よりも前側に位置することから、各接地配線２１３に作用する上記負荷の度合いは比較的小さい。このため、各接地配線２１３が、その長手方向湾折れ曲がり部位にて、断線等の導通不良を招くことは殆どない。また、念のため、各接地配線２１３の幅を従来よりも広く例えば２（ｍｍ）としておけば、各接地配線２１３の上述の断線等の導通不良はより一層防止され得る。
【０１３５】
また、両接地配線２１３のいずれかが仮に断線したとすると、この断線に係る接地配線２１３に搭載のＬＥＤが発光不能となる。これに対し、複数の給電配線２１２のうちのいずれかが、仮に断線しても、残りの給電配線が正常であれば、当該残りの給電配線に接続したＬＥＤの発光作動を正常に維持できる。従って、給電配線の断線によるＬＥＤの発光に対する影響度合いは、接地配線の断線によるＬＥＤの発光に対する影響度合いに比べて、軽度で済む。
（第２実施形態）
図１３〜図１８は、本発明の第２実施形態の要部を示している。この第２実施形態では、上記第１実施形態にて述べた可動演出装置２００の花型可動装飾体２００ａにおいて、上側、下側、左側及び右側の装飾部材２２０に代えて、上側、下側、左側及び右側の装飾部材２２０ａが採用されている。
【０１３６】
上側、下側、左側及び右側の装飾部材２２０ａは、共に、同一の構成からなるものであって、上記第１実施形態にて述べた上側、下側、左側及び右側の装飾部材２２０と同様に、矩形状の底板２３０を介し支持体２００ｂに揺動可能に連結されている。
【０１３７】
これら上側、下側、左側及び右側の装飾部材２２０ａは、それぞれ、図１３〜図１８のいずれかにて示すごとく、上記第１実施形態にて述べた装飾板２２１に加えて、上記第１実施形態にて述べた円筒状連結筒２２２及び帯状リンク２２３とは異なる両円筒状対向連結筒２２４、板状リンク２２５及びコイルスプリング２２６を備えている。
【０１３８】
本第２実施形態において、上側装飾部材２２０の両円筒状対向連結筒２２４、板状リンク２２５及びコイルスプリング２２６は、以下、それぞれ、上側両対向連結筒２２４、上側板状リンク２２５及び上側コイルスプリング２２６ともいう。下側装飾部材２２０の両円筒状対向連結筒２２４、板状リンク２２５及びコイルスプリング２２６は、以下、それぞれ、下側両対向連結筒２２４、下側板状リンク２２５及び下側コイルスプリング２２６ともいう。左側装飾部材２２０の両円筒状対向連結筒２２４、板状リンク２２５及びコイルスプリング２２６は、以下、それぞれ、左側両対向連結筒２２４、左側板状リンク２２５及び左側コイルスプリング２２６ともいう。また、右側装飾部材２２０の両円筒状対向連結筒２２４、板状リンク２２５及びコイルスプリング２２６は、以下、それぞれ、右側両対向連結筒２２４、右側板状リンク２２５及び右側コイルスプリング２２６ともいう。
【０１３９】
上側、下側、左側及び右側の両対向連結筒２２４は、それぞれ、上側、下側、左側及び右側の装飾板２２２を矩形状の底板２３０の上側、下側、左側及び右側の外縁部に揺動可能に連結するためのもので、当該各対向連結筒２２４は、図１８にて拡大して例示するごとく、各対応の装飾板２２１の底辺部２２１ａの長手方向両端部に沿い一体的に形成されて当該長手方向両端部から外方へ突出している。
【０１４０】
上側、下側、左側及び右側の板状リンク２２５は、図１８にて拡大して例示するごとく、各対応の両対向連結筒２２４から外方へ延出している。ここで、当該各板状リンク２２５は、図１８にて例示するごとく、その板面（板厚方向に直交する面）側から、それぞれ、各対応の装飾板２２１の表面側へ所定角度だけ屈曲するように位置する。
【０１４１】
上側、下側、左側及び右側のコイルスプリング２２６のうち、上側コイルスプリング２２６は、上側連結ピン２２２ａを介し上側両対向連結筒２２４の間に組み付けられている。詳細には、この組み付けは、上側連結ピン２２２ａを、上側両対向連結筒２２４の一方、上側コイルスプリング２２６及び上側両対向連結筒２２４の他方を通り同軸的に挿通し、上側の両ストップリング２２２ｂにより抜け止めすることで、なされている。
【０１４２】
ここで、上側コイルスプリング２２６は、その一端部２２６ａにて、上側板状リンク２２５の長手方向中央部にその表面側から係合しており、上側コイルスプリング２２６の他端部２２６ｂは、底板２３０の板本体２３１の上縁部中央にその前側から係合している。このことは、上側コイルスプリング２２６が、そのねじり弾発力に基づき、一端部２２６ａ及び他端部２２６ｂでもって、上側装飾板２２１を開くように上側板状リンク２２５の長手方向中央部及び板本体２３１の上縁部中央を挟持することを意味する。
【０１４３】
下側コイルスプリング２２６は、下側連結ピン２２２ａを介し下側両対向連結筒２２４の間に介装されている。詳細には、この組み付けは、下側連結ピン２２２ａを、下側両対向連結筒２２４の一方、下側コイルスプリング２２６及び下側両対向連結筒２２４の他方を通り同軸的に挿通し、下側の両ストップリング２２２ｂにより抜け止めすることで、なされている。
【０１４４】
ここで、下側コイルスプリング２２６は、その一端部２２６ａにて、下側板状リンク２２５の長手方向中央部にその表面側から係合しており、下側コイルスプリング２２６の他端部２２６ｂは、底板２３０の板本体２３１の下縁部中央にその前側から係合している。このことは、下側コイルスプリング２２６が、そのねじり弾発力に基づき、一端部２２６ａ及び他端部２２６ｂでもって、下側装飾板２２１を開くように下側板状リンク２２５の長手方向中央部及び板本体２３１の下縁部中央を挟持することを意味する。
【０１４５】
左側コイルスプリング２２６は、左側連結ピン２２２ａを介し左側両対向連結筒２２４の間に介装されている。詳細には、この組み付けは、左側連結ピン２２２ａを、左側両対向連結筒２２４の一方、左側コイルスプリング２２６及び左側両対向連結筒２２４の他方を通り同軸的に挿通し、左側の両ストップリング２２２ｂにより抜け止めすることで、なされている。
【０１４６】
ここで、左側コイルスプリング２２６は、その一端部２２６ａにて、左側板状リンク２２５の長手方向中央部にその表面側から係合しており、左側コイルスプリング２２６の他端部２２６ｂは、底板２３０の板本体２３１の左縁部中央にその前側から係合している。このことは、左側コイルスプリング２２６が、そのねじり弾発力に基づき、一端部２２６ａ及び他端部２２６ｂでもって、左側装飾板２２１を開くように左側板状リンク２２５の長手方向中央部及び板本体２３１の下縁部中央を挟持することを意味する。
【０１４７】
また、右側コイルスプリング２２６は、右側連結ピン２２２ａを介し左側両対向連結筒２２４の間に介装されている。詳細には、この組み付けは、右側連結ピン２２２ａを、右側両対向連結筒２２４の一方、右側コイルスプリング２２６及び右側両対向連結筒２２４の他方を通り同軸的に挿通し、右側の両ストップリング２２２ｂにより抜け止めすることで、なされている。
【０１４８】
ここで、右側コイルスプリング２２６は、その一端部２２６ａにて、右側板状リンク２２５の長手方向中央部にその表面側から係合しており、右側コイルスプリング２２６の他端部２２６ｂは、底板２３０の板本体２３１の右縁部中央にその前側から係合している。このことは、右側コイルスプリング２２６が、そのねじり弾発力に基づき、一端部２２６ａ及び他端部２２６ｂでもって、右側装飾板２２１を開くように右側板状リンク２２５の長手方向中央部及び板本体２３１の下縁部中央を挟持することを意味する。
【０１４９】
以上によれば、上側、下側、左側及び右側の装飾板２２１は、後述するごとく、上側、下側、左側及び右側の板状リンク２２５を上側、下側、左側及び右側のコイルスプリング２２６のねじり弾発力に抗して揺動させることで、共に、閉じる方向に揺動し、上側、下側、左側及び右側の板状リンク２２５を上側、下側、左側及び右側のコイルスプリング２２６のねじり弾発力により揺動させることで、共に、開く方向に揺動する。
【０１５０】
また、本第２実施形態においては、上記第１実施形態にて述べた駆動機構２００ｃが次のように変更されている。
【０１５１】
上記第１実施形態にて述べた駆動機構２００ｃにおいて、上側、下側、左側及び右側の歯車部材２４０に代えて、図１５にて示すごとく、上側、下側、左側及び右側の歯車部材２４０ａが採用されている。
【０１５２】
上側歯車部材２４０ａは、上記第１実施形態にて述べた上側歯車部材２４０の歯車２４１、上側突起２４２に加えて、突起２４５（以下、上側突起２４５ともいう）を有しており、この上側突起２４５は、上側歯車２４１の平歯車部２４１ａの外周部からこの平歯車部２４１ａの同一直径線状に位置するように前方に向けて、突設されている。
【０１５３】
下側歯車部材２４０ａは、上記第１実施形態にて述べた下側歯車部材２４０の歯車２４１、下側突起２４２に加えて、突起２４５（以下、下側突起２４５ともいう）を有しており、この下側突起２４５は、下側歯車２４１の平歯車部２４１ａの外周部からこの平歯車部２４１ａの同一直径線状に位置するように前方に向けて、突設されている。
【０１５４】
左側歯車部材２４０ａは、上記第１実施形態にて述べた左側歯車部材２４０の歯車２４１、左側突起２４２に加えて、突起２４５（以下、左側突起２４５ともいう）を有しており、この左側突起２４５は、左側歯車２４１の平歯車部２４１ａの外周部からこの平歯車部２４１ａの同一直径線状に位置するように前方に向けて、突設されている。
【０１５５】
また、右側歯車部材２４０ａは、上記第１実施形態にて述べた右側歯車部材２４０の歯車２４１、右側突起２４２に加えて、突起２４５（以下、右側突起２４５ともいう）を有しており、この右側突起２４５は、右側歯車２４１の平歯車部２４１ａの外周部からこの平歯車部２４１ａの同一直径線状に位置するように前方に向けて、突設されている。
【０１５６】
ここで、このように構成した上側、下側、左側及び右側の歯車部材２４０ａの上側、下側、左側及び右側の板状リンク２２５及び上側、下側、左側及び右側のコイルスプリング２２６との連動関係について説明する。上側の両突起２４２、２４５が、図１６（ｂ）にて示すごとく図示上下の回転位置にあるとき、上側板状リンク２２５は、上側コイルスプリング２２６のねじり弾発力に抗して上側突起２４２により図示上側へ押されるように揺動して、上側装飾板２２１を閉じる位置に揺動する（図１６（ｃ）参照）。また、上側の両突起２４２、２４５が、図１７（ｂ）にて示すごとく図示左右の回転位置にあるとき、上側板状リンク２２５は、上側コイルスプリング２２６のねじり弾発力の減少方向に上側の両突起２４２、２４５により図示下側から受けられた状態にて揺動して、上側装飾板２２１を開く位置に揺動する。
【０１５７】
下側の両突起２４２、２４５が、図１６（ｂ）にて示すごとく図示上下の回転位置にあるとき、下側板状リンク２２５は、下側コイルスプリング２２６のねじり弾発力に抗して下側突起２４２により図示下側へ押されるように揺動して、下側装飾板２２１を閉じる位置に揺動する。また、下側の両突起２４２、２４５が、図１７（ｂ）にて示すごとく図示左右の回転位置にあるとき、下側板状リンク２２５は、下側コイルスプリング２２６のねじり弾発力の減少方向に下側の両突起２４２、２４５により図示上側から受けられた状態にて揺動して、下側装飾板２２１を開く位置に揺動する。
【０１５８】
左側の両突起２４２、２４５が、図１６（ｂ）にて示すごとく図示左右の回転位置にあるとき、左側板状リンク２２５は、左側コイルスプリング２２６のねじり弾発力に抗して左側突起２４２により図示右側へ押されるように揺動して、左側装飾板２２１を閉じる位置に揺動する。また、左側の両突起２４２、２４５が、図１７（ｂ）にて示すごとく図示上下の回転位置にあるとき、左側板状リンク２２５は、左側コイルスプリング２２６のねじり弾発力の減少方向に左側の両突起２４２、２４５により図示右側から受けられた状態にて揺動して、左側装飾板２２１を開く位置に揺動する。
【０１５９】
また、右側の両突起２４２、２４５が、図１６（ｂ）にて示すごとく図示左右の回転位置にあるとき、右側板状リンク２２５は、右側コイルスプリング２２６のねじり弾発力に抗して右側突起２４２により図示左側へ押されるように揺動して、右側装飾板２２１を閉じる位置に揺動する。また、右側の両突起２４２、２４５が、図１７（ｂ）にて示すごとく図示上下の回転位置にあるとき、右側板状リンク２２５は、右側コイルスプリング２２６のねじり弾発力の減少方向に右側の両突起２４２、２４５により図示左側から受けられた状態にて揺動して、右側装飾板２２１を開く位置に揺動する。
【０１６０】
以上のように構成した本第２実施形態において、現段階において、上側、下側、左側及び右側の装飾部材２２０は、図１３にて示すごとく、各対応の装飾板２２１にて、あたかも花びらを閉じるように、閉じた状態にあるものとする。
【０１６１】
このとき、上側及び下側の歯車部材２４０ａの各対応の両突起２４２、２４５は、図１６（ｂ）にて示すごとく、それぞれ、上側平歯車部２４１ａの外周部の図示上下両端部上及び下側平歯車部２４１ａの外周部の図示上下両端部上に位置する。一方、左側及び右側の歯車部材２４０の各対応の両突起２４２、２４５は、図１６（ｂ）にて示すごとく、それぞれ、左側平歯車部２４１ａの外周部の図示左右両端部上及び右側平歯車部２４１ａの外周部の図示左右両端部上に位置する。このことは、上側、下側、左側及び右側の両突起２４２、２４５が、対向する両突起２４２、２４５毎に、各平歯車部２４１ａの中心を通る十字状の直線上にあることを意味する。
【０１６２】
また、このとき、各装飾部材２２０ａの装飾板２２１は、上述の各対応の突起２４２の位置で規制される各対応板状リンク２２５の位置との関係で、図１３（ａ）〜（ｃ）にて例示するような閉じた状態にある。
【０１６３】
このような状態において、ステップモータ２６０が、上記モータ駆動回路により駆動されて、一方向（例えば、図１６（ｂ）にて図示時計方向）に回転すると、上側平歯車部２４１ａが、上側の両突起２４２、２４５と共に、ステップモータ２６０により駆動されて図示時計方向に回転する。
【０１６４】
これに伴い、左右両側の各平歯車部２４１ａが、左右の各両突起２４２、２４５と共に、上側平歯車部２４１ａとの噛合のもとに、図１６（ｂ）にて図示反時計方向に回転する。すると、下側平歯車部２４１ａが、下側の両突起２４２、２４５と共に、左右両側の各平歯車部２４１ａとの噛合のもとに、図１６（ｂ）にて図示時計方向に回転する。
【０１６５】
このように各平歯車部２４１ａ及び各両突起２４２、２４５が回転すると、上側板状リンク２２５が、上側平歯車部２４１ａの時計方向への回転に伴う上側コイルスプリング２２６のねじり弾発力の減少に応じて上側装飾板２２１を開く方向に揺動させ、左右両側の板状リンク２２５が、左右両側の平歯車部２４１ａの反時計方向への回転に伴う左右両側のコイルスプリング２２６のねじり弾発力の減少に応じて左右両側の各装飾板２４１を開く方向に揺動させ、かつ、下側板状リンク２２５が、下側平歯車部２４１ａの時計方向への回転に伴う下側コイルスプリング２２６のねじり弾発力の減少に応じて下側装飾板２２１を開く方向に揺動させる。
【０１６６】
しかして、上側、下側、左側及び右側の装飾板２４１が共に開き終えたとき、上側及び下側の歯車部材２４０ａの各対応の両突起２４２、２４５は、図１７（ｂ）にて示すごとく、それぞれ、上側平歯車部２４１ａの外周部の図示左右端部上及び下側平歯車部２４１ａの外周部の図示左右両端部上に位置する。一方、左側及び右側の歯車部材２４０ａの各対応の両突起２４２、２４５は、図１７（ｂ）にて示すごとく、それぞれ、左側平歯車部２４１ａの外周部の図示上下両端部上及び右側平歯車部２４１ａの外周部の図示上下両端部上に位置する。このことは、上側、下側、左側及び右側の両突起２４２、２４５が、対向する両突起２４２、２４５毎に、図１６（ｂ）にて示す上側、下側、左側及び右側の両突起２４２、２４５に対し４５度回転した位置にあることを意味する。
【０１６７】
また、各装飾部材２２０ａの装飾板２２１は、上述の各対応の両突起２４２、２４５の位置で規制される各対応板状リンク２２５の位置との関係で、図１４（ａ）〜（ｃ）にて例示するような開き終えた状態にある。
【０１６８】
また、本第２実施形態においても、上記第１実施形態と同様に、上述のように８個のＬＥＤ２１０ｂが発光しても、上述のように各装飾板２２１が共に閉じた状態にあっては、各ＬＥＤ２１０ｂからの光は、各装飾板２２１により遮蔽される。従って、遊技者は、各装飾板２２１をその表面側から視認することとなる。一方、上述のように各装飾板２２１が共に開いた状態にあっては、８個のＬＥＤ２１０ｂは、遊技盤Ｂａの前方に向け完全に露呈した状態で遊技者により視認されることとなる。従って、８個のＬＥＤ２１０ｂからのフルカラー光は、すべて、遊技者により目視されることとなる。
【０１６９】
然る後、ステップモータ２６０が、上記モータ駆動回路により駆動されて、上記一方向（例えば、図１７（ｂ）にて図示時計方向）にさらに回転すると、上側平歯車部２４１ａが、上側の両突起２４２、２４５と共に、ステップモータ２６０により駆動されて、図１７（ｂ）にて示す位置からさらに図示時計方向に回転する。
【０１７０】
これに伴い、左右両側の各平歯車部２４１ａが、左右両側の各両突起２４２、２４５と共に、上側平歯車部２４１ａとの噛合のもとに、図１７（ｂ）にて示す各位置からさらに図示反時計方向に回転する。すると、下側平歯車部２４１ａが、下側の両突起２４２、２４５と共に、左右両側の各平歯車部２４１ａとの噛合のもとに、図１７（ｂ）にて示す位置からさらに図示時計方向に回転する。
【０１７１】
このように各平歯車部２４１ａ及び各両突起２４２、２４５が回転すると、上側板状リンク２２５が、上側平歯車部２４１ａの時計方向への回転に応じて、上側突起２４５により上側コイルスプリング２２６のねじれ弾発力に抗して上側装飾板２２１を閉じる方向に揺動させ、左右両側の板状リンク２２５が、左右両側の平歯車部２４１ａの反時計方向への回転に応じて、左右両側の各突起２４５により左右両側のコイルスプリング２２６のねじれ弾発力に抗して左右両側の装飾板２２１を閉じる方向に揺動させ、かつ、下側板状リンク２２５が、下側平歯車部２４１ａの時計方向への回転に応じて、下側突起２４５により下側コイルスプリング２２６のねじれ弾発力に抗して下側装飾板２２１を閉じる方向に揺動させる。
【０１７２】
しかして、上側、下側、左側及び右側の装飾板２４１が共に閉じ終えたとき、上側及び下側の歯車部材２４０ａの各対応の両突起２４２、２４５は、図１６（ｂ）にて示すごとく、それぞれ、上側平歯車部２４１ａの外周部の図示上下両端部上及び下側平歯車部２４１ａの外周部の図示上下両端部上に位置する。一方、左側及び右側の歯車部材２４０の各対応の両突起２４２、２４５は、図１６（ｂ）にて示すごとく、それぞれ、左側平歯車部２４１ａの外周部の図示左右両端部上及び右側平歯車部２４１ａの外周部の図示左右両端部上に位置する。このことは、上側、下側、左側及び右側の両突起２４２、２４５が、対向する両突起２４２、２４５毎に、図１７（ｂ）にて示す上側、下側、左側及び右側の両突起２４２、２４５に対し４５度回転した位置にあることを意味する。
【０１７３】
また、各装飾部材２２０ａの装飾板２２１は、上述の各対応の突起２４５の位置で規制される各対応板状リンク２２５の位置との関係で、図１３（ａ）〜（ｃ）にて例示するような閉じ終えた状態にある。
【０１７４】
また、本第２実施形態においても、上述のように各装飾板２２１が閉じる方向に揺動する過程においては、各装飾板２２１が閉じ終えると、８個のＬＥＤ２１０ｂは、そのフルカラー光と共に、完全に遮蔽されて、遊技者には視認されなくなる。
【０１７５】
以上によれば、本第２実施形態においても、各装飾板２２１が上述のように開閉することで、遊技者にとって、あたかも４枚の花びらが開閉するように見えるとともに、以上のように各ＬＥＤ２１０ｂからのフルカラー光の光量が各装飾板２２１の開閉に応じて変化することで、遊技者にとって、４枚の花びらがその発光量を変化させながら開閉するように見えるような演出が、可動演出装置２２０によりなされる。
【０１７６】
これにより、この種のパチンコ遊技機において、従来とは違った面白みのある演出効果が可動演出装置２２０により達成され得る。また、上述のような各装飾板２２１の開閉が、当該パチンコ遊技機の演出に応じて、各歯車部材１４０ａの４５度の回転ごとに繰り返されることで、可動演出装置２２０による上述の演出効果がより一層高められ得る。その他の作用効果は、上記第１実施形態と同様である。
【０１７７】
なお、上記第１或いは第２の実施形態において、一側及び他側のコネクタ部材からなる第１及び第２のコネクタを採用し、第１及び第２のコネクタの各一側コネクタ部材を、８個のＬＥＤ２１０ｂと共に、次のようにフレキシブルプリント基板２１０ａに搭載して電気的に接続するようにしてもよい。
【０１７８】
まず、フレキシブルプリント基板２１０ａを、その絶縁被覆膜部ｒにて上方に向くように、絶縁被覆膜部ｓ側から自動半田付け装置（図示しない）の作業台上に着脱可能に固定する。このとき、各給電配線２１２は、柔軟性電気絶縁層２１１の上側に位置する。
【０１７９】
このような状態にて、８個のＬＥＤ２１０ｂを、２個ずつ、フレキシブルプリント基板２１０ａの各独立基板部Ｆ２に絶縁被覆膜部ｒ側から各給電配線２１２の先端部側にて搭載する。そして、各ＬＥＤ２１０ｂの発光部Ｒ、発光部Ｇ及び発光部Ｂの各正側端子および各負側端子を各給電配線２１２および各対応の接地配線２１３に半田付けにより接続する。
【０１８０】
ついで、第１コネクタの一側コネクタ部材をフレキシブルプリント基板２１０ａの共通基板部Ｆ１の図８にて図示左上隅角部上に絶縁被覆膜部ｒ側から搭載するとともに、第２コネクタの一側コネクタ部材を図８にて図示右下隅角部上に絶縁被覆膜部ｒ側から搭載する。
【０１８１】
そして、第１コネクタの一側コネクタ部材の各正側コネクタピンを上側給電配線２１２の各給電配線部に半田付けにより接続するとともに、第１コネクタの一側コネクタ部材の負側コネクタピンを、絶縁被覆膜部ｒおよび電気絶縁層２１１を介し上側接地配線２１３に、半田付けにより接続する。また、第２コネクタの一側コネクタ部材の各正側コネクタピンを左側給電配線２１２の各給電配線部に半田付けにより接続するとともに、第２コネクタの一側コネクタ部材の負側コネクタピンを、絶縁被覆膜部ｒおよび電気絶縁層２１１を介し左側接地配線２１３に半田付けにより接続する。
【０１８２】
なお、上述の半田付け接続は、ＬＥＤ毎に、上記自動半田付け装置のロボットハンドにより自動的にＬＥＤを把持し、かつこのＬＥＤの発光部Ｒ、発光部Ｇ及び発光部Ｂの各正側端子および各負側端子を、自動的に半田により接続することでなされる。また、第１および第２のコネクタの各一側コネクタ部材の各正側コネクタピンおよび負側コネクタピンを、一側コネクタ部材毎に把持し、上記自動半田付け装置のロボットハンドにより自動的に半田により接続することでなされる。
【０１８３】
これにより、各ＬＥＤと各一側コネクタ部材とを、フレキシブルプリント基板２１０ａに対し、当該フレキシブルプリント基板２１０ａを上記作業台上にて裏返すことなく、上記自動半田付け装置でもって、自動的に搭載接続することとなる。従って、各ＬＥＤ及び各一側コネクタ部材をフレキシブルプリント基板２１０ａに対し搭載接続するにあたり、各ＬＥＤと各一側コネクタ部材とが、互いに、フレキシブルプリント基板２１０ａの両面の各々に分かれて搭載接続される場合に比べ、作業工数を軽減することができる。
【０１８４】
また、上述の変形例のように、第１及び第２のコネクタの各一側コネクタ部材をフレキシブルプリント基板２１０ａの共通基板部Ｆ１に絶縁被覆膜部ｒ側から搭載するのではなく、第１コネクタの一側コネクタ部材を、フレキシブルプリント基板２１０ａの共通基板部Ｆ１の図８にて図示左上隅角部に対する底板２３０の板本体２３１の対応部位にその裏側から搭載するとともに、第２コネクタの一側コネクタ部材を、フレキシブルプリント基板２１０ａの共通基板部Ｆ１の図８にて図示右下隅角部にその裏側から搭載するようにしてもよい。
【０１８５】
これによれば、各一側コネクタ部材は、底板２３０の板本体２３１によりその裏側に遮蔽されるため、遊技者が当該各一側コネクタ部材を直接視認することはない。その結果、可動装飾体２００ａに対する前方からに見映えを損なうことはない。
【０１８６】
なお、本発明の実施にあたり、上記各実施形態に限ることなく、次のような種々の変形例が挙げられる。
（１）上記実施形態では、上述のごとく、各給電配線２１２の給電配線部の幅は、１．５（ｍｍ）となっているが、この幅は、従来の所定幅０．５（ｍｍ）の２．５倍〜３．５倍の範囲以内の幅であれば、実質的に十分である。なお、従来の所定幅は、０．５（ｍｍ）に限ることなく、０．５（ｍｍ）よりも多少増減した幅であってもよい。
（２）上記各実施形態にて述べたＬＥＤは、それぞれ、複数の発光部Ｒ、発光部Ｇ及び発光部Ｂを有するフルカラー型のＬＥＤであるが、これに限ることなく、互いに発光色を異色或いは同色とする単一の発光部を有してなる複数のＬＥＤであってもよい。
（３）上記各実施形態にて述べたステップモータに代えて、直流モータ等の電動機を採用してもよい。
（４）本発明の実施にあたり、各装飾板２２１は、上記実施形態にて述べた底板２３０に限ることなく、共通支持部によって揺動可能に支持するようにしてもよく、この場合には、フレキシブルプリント基板２１０ａの共通基板部Ｆ１は、上記共通支持部に固定するようにしてもよい。
（５）本発明の実施にあたり、上記実施形態にて述べたように各一対のＬＥＤをフレキシブルプリント基板２１０ａの各独立基板部Ｆ２に搭載するだけでなく、他のＬＥＤをフレキシブルプリント基板２１０ａの共通基板部Ｆ１にその前方から搭載してもよく、これに加えて、その他の各ＬＥＤを、それぞれ、各装飾板２１１の外面に搭載するようにしてもよい。
【０１８７】
しかして、上述のように、各ＬＥＤを、フレキシブルプリント基板２１０ａの共通基板部Ｆ１及び各独立基板部Ｆ２の双方に搭載した場合には、各装飾板２１１が開いた際に遊技者により視認されるＬＥＤは、フレキシブルプリント基板２１０ａの共通基板部Ｆ１及び各独立基板部Ｆ２の全てに亘り、また、各装飾板２１１が閉じた際には、共通基板部Ｆ１及び各独立基板部Ｆ２に搭載の全てのＬＥＤが遊技者により視認されないので、上記実施形態に比べて、電飾盤２１０におけるＬＥＤの発光による電飾効果がより一層改善される。
【０１８８】
また、上述のように、フレキシブルプリント基板２１０ａの共通基板部Ｆ１及び各独立基板部Ｆ２の全てに限ることなく、各装飾板２１１の外面にもそれぞれＬＥＤを搭載した場合には、各装飾板２１１が閉じた場合にも、当該各装飾板２１１に搭載の各ＬＥＤが遊技者により視認されることになるが、この場合には、各装飾板２１１が開いたときに視認される共通基板部Ｆ１及び各独立基板部Ｆ２に搭載の各ＬＥＤの発光による電飾は遊技者により視認されることがない。その結果、上述とは異なる電飾効果が確保され得る。
【符号の説明】
【０１８９】
Ｂａ…遊技盤、Ｆ１…共通基板部、Ｆ２…帯状独立基板部、２００ａ…花型可動装飾体、
２００ｃ…駆動機構、２１０…電飾盤、２１０ａ…フレキシブルプリント基板、
２１０ｂ…ＬＥＤ、２２０、２２０ａ…装飾部材、２２１…装飾板、２２１ａ…底辺部、
２２２、２２４…連結筒、２２３…帯状リンク、２２５…板状リンク、２３０…底板、
２４０…歯車部材、２４１ａ…歯車部、２４２、２４５…突起、２５０…連結部材、
２６０…ステップモータ。
【図１】
0005491255.tif 000002
【図２】
0005491255.tif 000003
【図３】
0005491255.tif 000004
【図４】
0005491255.tif 000005
【図５】
0005491255.tif 000006
【図６】
0005491255.tif 000007
【図７】
0005491255.tif 000008
【図８】
0005491255.tif 000009
【図９】
0005491255.tif 000010
【図１０】
0005491255.tif 000011
【図１１】
0005491255.tif 000012
【図１２】
0005491255.tif 000013
【図１３】
0005491255.tif 000014
【図１４】
0005491255.tif 000015
【図１５】
0005491255.tif 000016
【図１６】
0005491255.tif 000017
【図１７】
0005491255.tif 000018
【図１８】
0005491255.tif 000019